(57)【要約】【課題】遊技者に意外性を与える。【解決手段】飾り図柄表示エリア５Ｌ、５Ｃ、５Ｒにて飾り図柄の可変表示が開始されると、中段の有効ライン上において、飾り図柄表示エリア５Ｌ−２に左図柄として「２」の英数字が仮停止表示され、飾り図柄表示エリア５Ｒ−２に右図柄として「３」の英数字が仮停止表示された後、飾り図柄表示エリア５Ｃ−２に中図柄として「２」の英数字が仮停止表示される。飾り図柄表示エリア５Ｒ−３に仮停止表示されたブランク図柄が点灯した後、飾り図柄表示エリア５Ｒ−３のブランク図柄が「２」の英数字へ変化し、かつ、飾り図柄表示エリア５Ｒ−２の「３」の英数字が飾り図柄表示エリア５Ｒ−１へ移動するとともに、飾り図柄表示エリア５Ｒ−２に新たなブランク図柄が表示される。擬似連チャンス目停止パターンの飾り図柄が仮停止表示された状態となる。その後、再可変表示が開始される。【選択図】図２２
2015160003.tif 000002
【特許請求の範囲】
【請求項１】
各々を識別可能な複数種類の識別情報の可変表示を行い、該可変表示の表示結果として予め定められた特定表示結果が導出されたときに、遊技者にとって有利な特定遊技状態に制御する遊技機であって、
前記特定表示結果を構成し得る主図柄及び前記特定表示結果を構成し得ない副図柄を含む識別情報の可変表示を行い表示結果を導出する可変表示手段と、
識別情報の可変表示が開始されてから表示結果が導出されるまでに、予め定められた特殊組合せの識別情報を仮停止表示した後、該仮停止表示した全部又は一部の識別情報について可変表示を再度実行する再可変表示を所定回実行可能な再可変表示実行手段と、を備え、
前記再可変表示実行手段は、前記特殊組合せとは異なる組合せの識別情報を一旦仮停止表示し、該仮停止表示した識別情報に含まれる前記副図柄を前記主図柄へ変化させることにより前記特殊組合せの識別情報を仮停止表示することが可能である、
ことを特徴とする遊技機。
【発明の詳細な説明】
【技術分野】
【０００１】
本発明は、パチンコ遊技機などの遊技機に関する。
【背景技術】
【０００２】
遊技機として、遊技球などの遊技媒体を発射装置によって遊技領域に発射し、遊技領域に設けられている入賞口などの入賞領域に遊技媒体が入賞すると、所定個の賞球が遊技者に払い出されるものがある。さらに、入賞領域に遊技媒体が入賞する（始動条件が成立する）と識別情報を変動可能に表示（可変表示）する可変表示手段が設けられ、可変表示手段において識別情報の可変表示の表示結果が特定表示結果（大当り図柄）となった場合に遊技者にとって有利な特定遊技状態（大当り遊技状態）に制御可能になるように構成されたものがある。
【０００３】
このような遊技機として、可変表示手段において英数字とブランク図柄とを含む飾り図柄を可変表示し、飾り図柄を停止表示したときに、擬似連チャンス目として同じブランク図柄が３つ揃って表示された場合、停止表示された英数字の可変表示を再度実行する遊技機がある（例えば特許文献１）。
【先行技術文献】
【特許文献】
【０００４】
【特許文献１】特開２００８−１６１３９１号公報
【発明の概要】
【発明が解決しようとする課題】
【０００５】
しかしながら、特許文献１に記載の技術では、例えば擬似連チャンス目が英数字で構成される場合、飾り図柄が停止表示されたときにブランク図柄が揃っていたとしても、ブランク図柄が英数字へ変化して擬似連チャンス目が停止表示されるというようなことがないので、遊技者に意外性を与えることができなかった。
【０００６】
この発明は、上記実状に鑑みてなされたものであり、遊技者に意外性を与えることができる遊技機の提供を目的とする。
【課題を解決するための手段】
【０００７】
（１）上記目的を達成するため、本願発明に係る遊技機は、
各々を識別可能な複数種類の識別情報（例えば、特別図柄や飾り図柄など）の可変表示を行い、該可変表示の表示結果として予め定められた特定表示結果（例えば、大当り図柄となる特別図柄や大当り組合せの確定飾り図柄など）が導出されたときに、遊技者にとって有利な特定遊技状態（例えば、大当り遊技状態など）に制御する遊技機（例えばパチンコ遊技機１など）であって、
前記特定表示結果を構成し得る主図柄（例えば、英数字など）及び前記特定表示結果を構成し得ない副図柄（例えば、ブランク図柄など）を含む識別情報の可変表示を行い表示結果を導出する可変表示手段（例えば、画像表示装置５など）と、
識別情報の可変表示が開始されてから表示結果が導出されるまでに、予め定められた特殊組合せの識別情報（例えば、擬似連チャンス目停止パターンの飾り図柄など）を仮停止表示した後、該仮停止表示した全部又は一部の識別情報について可変表示を再度実行する再可変表示を所定回実行可能（例えば、１回〜３回実行可能）な再可変表示実行手段（例えば、ステップＳ６０７の処理を実行する演出制御用ＣＰＵ１２０など）と、を備え、
前記再可変表示実行手段は、前記特殊組合せとは異なる組合せの識別情報（例えば、ブランク図柄変化前停止パターンの飾り図柄など）を一旦仮停止表示し（例えば、ステップＳ６０２の処理を実行し）、該仮停止表示した識別情報に含まれる前記副図柄を前記主図柄へ変化させる（例えば、ステップＳ６０３の処理を実行する）ことにより前記特殊組合せの識別情報を仮停止表示することが可能である、
ことを特徴とする。
【０００８】
このような構成によれば、副図柄が主図柄へ変化して特殊組合せの識別情報が仮停止表示されるので、遊技者に意外性を与えることができる。
【０００９】
（２）上記（１）の遊技機において、
前記再可変表示実行手段は、複数の前記特殊組合せの識別情報（例えば、図１７に示す擬似連チャンス目停止パターンの飾り図柄など）のうちのいずれの特殊組合せの識別情報を仮停止表示するか（例えば、擬似連チャンス目停止パターンＴ１０２の飾り図柄を仮停止表示するか擬似連チャンス目停止パターンＴ１１３の飾り図柄を仮停止表示するかなど）に応じて異なる演出態様（例えば、図１６に示す変化態様Ａや変化態様Ｂなど）で、前記副図柄を前記主図柄へ変化させる、
ことを特徴とする。
【００１０】
このような構成によれば、副図柄が主図柄へ変化する演出態様が異なるので、遊技の興趣を向上させることができる。
【００１１】
（３）上記（１）または（２）の遊技機において、
前記再可変表示実行手段は、前記特定遊技状態に制御される場合、前記特定遊技状態に制御されない場合と比べて高い割合（例えば、図１５に示す決定割合など）で、前記副図柄を前記主図柄へ変化させて前記特殊組合せの識別情報を仮停止表示する、
ことを特徴とする。
【００１２】
このような構成によれば、特殊組合せとは異なる組合せの識別情報が停止表示された場合に、遊技者に期待感を与えることができる。
【００１３】
（４）上記（１）から（３）のいずれかの遊技機において、
前記副図柄は、前記主図柄へ変化可能な表示態様で表示される特定副図柄（例えば、「★」のブランク図柄など）と、前記主図柄へ変化不可能な表示態様で表示される所定副図柄（例えば、「・」のブランク図柄など）と、を含み、
前記可変表示手段は、前記特定遊技状態に制御されない場合、前記特定副図柄を含む表示結果を導出することが可能である（例えば、ステップＳ４２３やステップＳ４２４にて確定飾り図柄に「★」のブランク図柄を含めると決定した場合に、「★」のブランク図柄を含む確定飾り図柄を導出表示する）、
ことを特徴とする。
【００１４】
このような構成によれば、特定遊技状態に制御されない場合であっても、遊技者に最後まで期待感を与えることができる。
【図面の簡単な説明】
【００１５】
【図１】パチンコ遊技機の正面図である。
【図２】画像表示装置における飾り図柄表示エリアや有効ラインを示す図である。
【図３】飾り図柄を示す図である。
【図４】パチンコ遊技機に搭載された各種の制御基板などを示す構成図である。
【図５】特別図柄プロセス処理の一例を示すフローチャートである。
【図６】特別図柄通常処理の一例を示すフローチャートである。
【図７】特図表示結果などの決定例を示す説明図である。
【図８】変動パターン設定処理の一例を示すフローチャートなどである。
【図９】変動パターンの決定例を示す説明図である。
【図１０】演出制御プロセス処理の一例を示すフローチャートである。
【図１１】可変表示開始設定処理の一例を示すフローチャートなどである。
【図１２】擬似連決定処理の一例を示すフローチャートである。
【図１３】擬似連チャンス目停止パターンの決定例を示す図である。
【図１４】擬似連チャンス目停止パターンの一例を示す図である。
【図１５】ブランク図柄変化演出実行決定テーブルの構成例を示す説明図である。
【図１６】ブランク図柄変化前停止パターンなどの決定例を示す図である。
【図１７】ブランク図柄変化前停止パターンの一例を示す図である。
【図１８】ブランク図柄の変化態様を示す説明図である。
【図１９】可変表示中演出処理の一例を示すフローチャートである。
【図２０】擬似連動作制御処理の一例を示すフローチャートである。
【図２１】飾り図柄の仮停止表示やブランク図柄の変化などのタイミングの一例を示す図である。
【図２２】ブランク図柄変化演出が実行される場合の演出画面の一例を示す図である。
【図２３】変形例におけるブランク図柄変化前停止パターンの一例を示す図である。
【図２４】変形例におけるブランク図柄が変化する場合の演出画面の一例を示す図である。
【図２５】左図柄停止パターン、中図柄停止パターン、右図柄停止パターンを示す図である。
【図２６】変形例におけるブランク図柄変化前停止パターンの決定例を示す図である。
【図２７】変形例における擬似連チャンス目停止パターンの一例を示す図である。
【発明を実施するための形態】
【００１６】
以下、図面を参照しつつ、本発明の一実施形態を詳細に説明する。図１は、本実施の形態におけるパチンコ遊技機の正面図であり、主要部材の配置レイアウトを示す。パチンコ遊技機（遊技機）１は、大別して、遊技盤面を構成する遊技盤（ゲージ盤）２と、遊技盤２を支持固定する遊技機用枠（台枠）３とから構成されている。遊技盤２には、ガイドレールによって囲まれた、ほぼ円形状の遊技領域が形成されている。この遊技領域には、遊技媒体としての遊技球が、所定の打球発射装置から発射されて打ち込まれる。
【００１７】
遊技盤２の所定位置（図１に示す例では、遊技領域の右側方）には、第１特別図柄表示装置４Ａと、第２特別図柄表示装置４Ｂとが設けられている。第１特別図柄表示装置４Ａと第２特別図柄表示装置４Ｂはそれぞれ、例えば７セグメントやドットマトリクスのＬＥＤ（発光ダイオード）等から構成され、可変表示ゲームの一例となる特図ゲームにおいて、各々を識別可能な複数種類の識別情報（特別識別情報）である特別図柄（「特図」ともいう）が、変動可能に表示（可変表示）される。例えば、第１特別図柄表示装置４Ａと第２特別図柄表示装置４Ｂはそれぞれ、「０」〜「９」を示す数字や「−」を示す記号等から構成される複数種類の特別図柄を可変表示する。
【００１８】
なお、第１特別図柄表示装置４Ａや第２特別図柄表示装置４Ｂにおいて表示される特別図柄は、「０」〜「９」を示す数字や「−」を示す記号等から構成されるものに限定されず、例えば７セグメントのＬＥＤにおいて点灯させるものと消灯させるものとの組合せを異ならせた複数種類の点灯パターンが、複数種類の特別図柄として予め設定されていればよい。以下では、第１特別図柄表示装置４Ａにおいて可変表示される特別図柄を「第１特図」ともいい、第２特別図柄表示装置４Ｂにおいて可変表示される特別図柄を「第２特図」ともいう。
【００１９】
遊技盤２における遊技領域の中央付近には、画像表示装置５が設けられている。画像表示装置５は、例えばＬＣＤ（液晶表示装置）等から構成され、各種の演出画像を表示する表示領域を形成している。画像表示装置５の表示領域では、特図ゲームにおける第１特別図柄表示装置４Ａによる第１特図の可変表示や第２特別図柄表示装置４Ｂによる第２特図の可変表示のそれぞれに対応して、例えば３つといった複数の可変表示部となる飾り図柄表示エリアにて、各々を識別可能な複数種類の識別情報（装飾識別情報）である飾り図柄が可変表示される。この飾り図柄の可変表示も、可変表示ゲームに含まれる。
【００２０】
一例として、画像表示装置５の表示領域には、「左」、「中」、「右」の飾り図柄表示エリア５Ｌ、５Ｃ、５Ｒが配置されている。ここで、画像表示装置５の表示領域や有効ラインについて説明する。この実施の形態では、図２（Ａ）に示すように、画像表示装置５は、「左」、「中」、「右」の飾り図柄表示エリア５Ｌ、５Ｃ、５Ｒの３つに分割されているとともに、それぞれ上段、中段、下段の３段に分割されている。従って、画像表示装置５には、飾り図柄表示エリアとして、飾り図柄表示エリア５Ｌ−１、５Ｌ−２、５Ｌ−３、飾り図柄表示エリア５Ｃ−１、５Ｃ−２、５Ｃ−３、飾り図柄表示エリア５Ｒ−１、５Ｒ−２、５Ｒ−３といった計９つのエリアが設けられている。
【００２１】
そして、図２（Ｂ）に示すように、画像表示装置５には、飾り図柄表示エリア５Ｌ−２、５Ｃ−２、５Ｒ−２を結ぶ中段ラインＬ１と、飾り図柄表示エリア５Ｌ−１、５Ｃ−１、５Ｒ−１を結ぶ上段ラインＬ２と、飾り図柄表示エリア５Ｌ−３、５Ｃ−３、５Ｒ−３を結ぶ下段ラインＬ３と、飾り図柄表示エリア５Ｌ−１、５Ｃ−２、５Ｒ−３を結ぶ右下がりラインＬ４と、飾り図柄表示エリア５Ｌ−３、５Ｃ−２、５Ｒ−１を結ぶ左下がりラインＬ５と、の５つの有効ラインが設けられている。このいずれかの有効ラインに、同一の英数字を示す飾り図柄が停止した場合に、「大当り」となる。
【００２２】
図３は、「左」、「中」、「右」の飾り図柄表示エリア５Ｌ、５Ｃ、５Ｒにおいて表示される飾り図柄を示す図である。ここで、「左」の飾り図柄表示エリア５Ｌに表示される飾り図柄を左図柄といい、「中」の飾り図柄表示エリア５Ｃに表示される飾り図柄を中図柄といい、「右」の飾り図柄表示エリア５Ｒに表示される飾り図柄を右図柄という。
【００２３】
図３に示すように、左図柄、中図柄、右図柄には、主図柄としての「１」〜「８」の英数字のほか、副図柄としてのブランク図柄（「・」（点印））が含まれ、英数字とブランク図柄が交互に配置される。左図柄及び中図柄には、「１」〜「８」の英数字が昇順に並んでおり、右図柄には、「８」〜「１」の英数字が降順に並んでいる。各英数字及びブランク図柄には、図４に示すように、「１」〜「１６」の図柄番号が振られる。即ち、左図柄、中図柄、右図柄はそれぞれ１６種の図柄から構成されている。
【００２４】
そして、左図柄、中図柄、右図柄は、画像表示装置５の飾り図柄表示エリア５Ｌ、５Ｃ、５Ｒにおいて、それぞれスクロール表示（可変表示、変動表示）される。具体的には、左図柄及び中図柄は、飾り図柄表示エリアにおいて上段から下段にかけて「１」「・」「２」と表示された後に、「・」「１」「・」、「８」「・」「１」…というようにスクロール表示される。また、右図柄は、飾り図柄表示エリアにおいて上段から下段にかけて「８」「・」「７」と表示された後に、「・」「８」「・」、「１」「・」「８」というようにスクロール表示される。
【００２５】
特図ゲームにおいて第１特別図柄表示装置４Ａにおける第１特図の変動と第２特別図柄表示装置４Ｂにおける第２特図の変動のうち、いずれかが開始されることに対応して、「左」、「中」、「右」の各飾り図柄表示エリアにおいて飾り図柄の変動（例えば上下方向のスクロール表示）が開始される。その後、特図ゲームにおける可変表示結果として確定特別図柄が停止表示されるときに、画像表示装置５における「左」、「中」、「右」の各飾り図柄表示エリア５Ｌ、５Ｃ、５Ｒにて、飾り図柄の可変表示結果となる確定飾り図柄（最終停止図柄）が停止表示される。
【００２６】
このように、画像表示装置５の表示領域では、第１特別図柄表示装置４Ａにおける第１特図を用いた特図ゲーム、または、第２特別図柄表示装置４Ｂにおける第２特図を用いた特図ゲームと同期して、各々が識別可能な複数種類の飾り図柄の可変表示を行い、可変表示結果となる確定飾り図柄を導出表示（あるいは単に「導出」ともいう）する。なお、例えば特別図柄や飾り図柄といった、各種の表示図柄を導出表示するとは、飾り図柄等の識別情報を停止表示（完全停止表示や最終停止表示ともいう）して可変表示を終了させることである。これに対して、飾り図柄の可変表示を開始してから可変表示結果となる確定飾り図柄が導出表示されるまでの可変表示中には、飾り図柄の変動速度が「０」となって、飾り図柄が停留して表示され、例えば微少な揺れや伸縮などを生じさせる表示状態となることがある。このような表示状態は、仮停止表示ともいい、可変表示における表示結果が確定的に表示されていないものの、スクロール表示や更新表示による飾り図柄の変動が進行していないことを遊技者が認識可能となる。なお、仮停止表示には、微少な揺れや伸縮なども生じさせず、所定時間（例えば１秒間）よりも短い時間だけ、飾り図柄を完全停止表示することなどが含まれてもよい。
【００２７】
画像表示装置５の画面上には、始動入賞記憶表示エリア５Ｈが配置されている。始動入賞記憶表示エリア５Ｈでは、特図ゲームに対応した可変表示の保留数（特図保留記憶数）を特定可能に表示する保留記憶表示が行われる。ここで、特図ゲームに対応した可変表示の保留は、普通入賞球装置６Ａが形成する第１始動入賞口や、普通可変入賞球装置６Ｂが形成する第２始動入賞口を、遊技球が通過（進入）することによる始動入賞に基づいて発生する。すなわち、特図ゲームや飾り図柄の可変表示といった可変表示ゲームを実行するための始動条件（「実行条件」ともいう）は成立したが、先に成立した開始条件に基づく可変表示ゲームが実行中であることやパチンコ遊技機１が大当り遊技状態に制御されていることなどにより、可変表示ゲームの開始を許容する開始条件が成立していないときに、成立した始動条件に対応する可変表示の保留が行われる。
【００２８】
例えば、第１始動入賞口を遊技球が通過（進入）する第１始動入賞の発生により、第１特別図柄表示装置４Ａによる第１特図を用いた特図ゲームの始動条件（第１始動条件）が成立したときに、当該第１始動条件の成立に基づく第１特図を用いた特図ゲームを開始するための第１開始条件が成立しなければ、第１特図保留記憶数が１加算（インクリメント）され、第１特図を用いた特図ゲームの実行が保留される。また、第２始動入賞口を遊技球が通過（進入）する第２始動入賞の発生により、第２特別図柄表示装置４Ｂによる第２特図を用いた特図ゲームの始動条件（第２始動条件）が成立したときに、当該第２始動条件の成立に基づく第２特図を用いた特図ゲームを開始するための第２開始条件が成立しなければ、第２特図保留記憶数が１加算（インクリメント）され、第２特図を用いた特図ゲームの実行が保留される。これに対して、第１特図を用いた特図ゲームの実行が開始されるときには、第１特図保留記憶数が１減算（デクリメント）され、第２特図を用いた特図ゲームの実行が開始されるときには、第２特図保留記憶数が１減算（デクリメント）される。
【００２９】
第１特図保留記憶数と第２特図保留記憶数とを加算した可変表示の保留記憶数は、特に、合計保留記憶数ともいう。単に「特図保留記憶数」というときには、通常、第１特図保留記憶数、第２特図保留記憶数及び合計保留記憶数のいずれも含む概念を指すが、特に、これらの一部（例えば第１特図保留記憶数と第２特図保留記憶数を含む一方で合計保留記憶数は除く概念）を指すこともあるものとする。
【００３０】
始動入賞記憶表示エリア５Ｈとともに、あるいは始動入賞記憶表示５Ｈエリアに代えて、特図保留記憶数を表示する表示器を設けるようにしてもよい。図１に示す例では、始動入賞記憶表示エリア５Ｈとともに、第１特別図柄表示装置４Ａ及び第２特別図柄表示装置４Ｂの上部に、特図保留記憶数を特定可能に表示するための第１保留表示器２５Ａと第２保留表示器２５Ｂとが設けられている。第１保留表示器２５Ａは、第１特図保留記憶数を特定可能に表示する。第２保留表示器２５Ｂは、第２特図保留記憶数を特定可能に表示する。第１保留表示器２５Ａと第２保留表示器２５Ｂはそれぞれ、例えば第１特図保留記憶数と第２特図保留記憶数のそれぞれにおける上限値（例えば「４」）に対応した個数（例えば４個）のＬＥＤを含んで構成されている。
【００３１】
画像表示装置５の下方には、普通入賞球装置６Ａと、普通可変入賞球装置６Ｂとが設けられている。普通入賞球装置６Ａは、例えば所定の玉受部材によって常に一定の開放状態に保たれる始動領域（第１始動領域）としての第１始動入賞口を形成する。普通可変入賞球装置６Ｂは、図４に示す普通電動役物用のソレノイド８１によって垂直位置となる閉鎖状態と傾動位置となる開放状態とに変化する一対の可動翼片を有する電動チューリップ型役物（普通電動役物）を備え、第２始動入賞口を形成する。
【００３２】
一例として、普通可変入賞球装置６Ｂでは、普通電動役物用のソレノイド８１がオフ状態であるときに可動翼片が垂直位置となることにより、遊技球が第２始動入賞口に進入しない閉鎖状態となる。その一方で、普通可変入賞球装置６Ｂでは、普通電動役物用のソレノイド８１がオン状態であるときに可動翼片が傾動位置となることにより、遊技球が第２始動入賞口に進入する開放状態（第１状態）となる。なお、普通可変入賞球装置６Ｂは、閉鎖状態（第２状態）であるときでも、第２始動入賞口には遊技球が進入可能であるものの、開放状態であるときよりも遊技球が進入する可能性が低くなるように構成してもよい。このように、遊技領域には、遊技球が進入可能な開放状態（第１状態）と、遊技球が進入不可能または進入困難な閉鎖状態（第２状態）とに変化する第２始動入賞口を形成する普通可変入賞球装置６Ｂが設けられている。
【００３３】
普通入賞球装置６Ａに形成された第１始動入賞口に進入した遊技球は、例えば図４に示す第１始動口スイッチ２２Ａによって検出される。普通可変入賞球装置６Ｂに形成された第２始動入賞口に進入した遊技球は、例えば図４に示す第２始動口スイッチ２２Ｂによって検出される。第１始動口スイッチ２２Ａによって遊技球が検出されたことに基づき、所定個数（例えば３個）の遊技球が賞球（景品遊技媒体）として払い出され、第１保留記憶数が所定の上限値（例えば「４」）以下であれば、第１始動条件が成立する。第２始動口スイッチ２２Ｂによって遊技球が検出されたことに基づき、所定個数（例えば３個）の遊技球が賞球として払い出され、第２保留記憶数が所定の上限値以下であれば、第２始動条件が成立する。
【００３４】
なお、第１始動口スイッチ２２Ａによって遊技球が検出されたことに基づいて払い出される賞球の個数と、第２始動口スイッチ２２Ｂによって遊技球が検出されたことに基づいて払い出される賞球の個数は、互いに同一の個数であってもよいし、異なる個数であってもよい。パチンコ遊技機１は、賞球となる遊技球を直接に払い出すものであってもよいし、賞球となる遊技球の個数に対応した得点を付与するものであってもよい。
【００３５】
普通入賞球装置６Ａと普通可変入賞球装置６Ｂの下方には、特別可変入賞球装置７が設けられている。特別可変入賞球装置７は、図４に示す大入賞口扉用となるソレノイド８２によって開閉駆動される大入賞口扉を備え、その大入賞口扉によって開放状態と閉鎖状態とに変化する特定領域としての大入賞口を形成する。
【００３６】
一例として、特別可変入賞球装置７では、大入賞口扉用のソレノイド８２がオフ状態であるときに大入賞口扉が大入賞口を閉鎖状態として、遊技球が大入賞口を通過（進入）できなくする。その一方で、特別可変入賞球装置７では、大入賞口扉用のソレノイド８２がオン状態であるときに大入賞口扉が大入賞口を開放状態として、遊技球が大入賞口を通過（進入）しやすくする。このように、特定領域としての大入賞口は、遊技球が通過（進入）しやすく遊技者にとって有利な開放状態と、遊技球が通過（進入）できず遊技者にとって不利な閉鎖状態とに変化する。なお、遊技球が大入賞口を通過（進入）できない閉鎖状態に代えて、あるいは閉鎖状態の他に、遊技球が大入賞口を通過（進入）しにくい一部開放状態を設けてもよい。
【００３７】
大入賞口を通過（進入）した遊技球は、例えば図４に示すカウントスイッチ２３によって検出される。カウントスイッチ２３によって遊技球が検出されたことに基づき、所定個数（例えば１４個）の遊技球が賞球として払い出される。こうして、特別可変入賞球装置７において開放状態となった大入賞口を遊技球が通過（進入）したときには、例えば第１始動入賞口や第２始動入賞口といった、他の入賞口を遊技球が通過（進入）したときよりも多くの賞球が払い出される。したがって、特別可変入賞球装置７において大入賞口が開放状態となれば、その大入賞口に遊技球が進入可能となり、遊技者にとって有利な第１状態となる。その一方で、特別可変入賞球装置７において大入賞口が閉鎖状態または一部閉鎖状態となれば、大入賞口に遊技球を通過（進入）させて賞球を得ることが不可能または困難になり、遊技者にとって不利な第２状態となる。
【００３８】
遊技盤２の所定位置（図１に示す例では、遊技領域の左側方）には、普通図柄表示器２０が設けられている。一例として、普通図柄表示器２０は、第１特別図柄表示装置４Ａや第２特別図柄表示装置４Ｂと同様に７セグメントやドットマトリクスのＬＥＤ等から構成され、特別図柄とは異なる複数種類の識別情報である普通図柄（「普図」あるいは「普通図」ともいう）を変動可能に表示（可変表示）する。このような普通図柄の可変表示は、普図ゲーム（「普通図ゲーム」ともいう）と称される。普通図柄表示器２０の上方には、普図保留表示器２５Ｃが設けられている。普図保留表示器２５Ｃは、例えば４個のＬＥＤを含んで構成され、通過ゲート４１を通過した有効通過球数としての普図保留記憶数を表示する。
【００３９】
遊技盤２の表面には、上記の構成以外にも、遊技球の流下方向や速度を変化させる風車及び多数の障害釘が設けられている。また、第１始動入賞口、第２始動入賞口及び大入賞口とは異なる入賞口として、例えば所定の玉受部材によって常に一定の開放状態に保たれる単一または複数の一般入賞口が設けられてもよい。この場合には、一般入賞口のいずれかに進入した遊技球が所定の一般入賞球スイッチによって検出されたことに基づき、所定個数（例えば１０個）の遊技球が賞球として払い出されればよい。遊技領域の最下方には、いずれの入賞口にも進入しなかった遊技球が取り込まれるアウト口が設けられている。
【００４０】
遊技機用枠３の左右上部位置には、効果音等を再生出力するためのスピーカ８Ｌ、８Ｒが設けられており、さらに遊技領域周辺部には、遊技効果ランプ９が設けられている。パチンコ遊技機１の遊技領域における各構造物（例えば普通入賞球装置６Ａ、普通可変入賞球装置６Ｂ、特別可変入賞球装置７等）の周囲には、装飾用ＬＥＤが配置されていてもよい。遊技機用枠３の右下部位置には、遊技媒体としての遊技球を遊技領域に向けて発射するために遊技者等によって操作される打球操作ハンドル（操作ノブ）が設けられている。例えば、打球操作ハンドルは、遊技者等による操作量（回転量）に応じて遊技球の弾発力を調整する。
【００４１】
遊技領域の下方における遊技機用枠３の所定位置には、賞球として払い出された遊技球や所定の球貸機により貸し出された遊技球を、打球発射装置へと供給可能に保持（貯留）する上皿（打球供給皿）が設けられている。遊技機用枠３の下部には、上皿から溢れた余剰球などを、パチンコ遊技機１の外部へと排出可能に保持（貯留）する下皿が設けられている。
【００４２】
パチンコ遊技機１には、例えば図４に示すような主基板１１、演出制御基板１２、音声制御基板１３、ランプ制御基板１４といった、各種の制御基板が搭載されている。また、パチンコ遊技機１には、主基板１１と演出制御基板１２との間で伝送される各種の制御信号を中継するための中継基板１５なども搭載されている。その他にも、パチンコ遊技機１における遊技盤などの背面には、例えば払出制御基板、情報端子基板、発射制御基板、インタフェース基板、タッチセンサ基板などといった、各種の基板が配置されている。
【００４３】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号の入力を行う機能、演出制御基板１２などからなるサブ側の制御基板に宛てて、指令情報の一例となる制御コマンドを制御信号として出力して送信する機能、ホールの管理コンピュータに対して各種情報を出力する機能などを備えている。また、主基板１１は、第１特別図柄表示装置４Ａと第２特別図柄表示装置４Ｂを構成する各ＬＥＤ（例えばセグメントＬＥＤ）などの点灯／消灯制御を行って第１特図や第２特図の可変表示を制御することや、普通図柄表示器２０の点灯／消灯／発色制御などを行って普通図柄表示器２０による普通図柄の可変表示を制御することといった、所定の表示図柄の可変表示を制御する機能も備えている。
【００４４】
主基板１１には、例えば遊技制御用マイクロコンピュータ１００やスイッチ回路１１０、ソレノイド回路１１１などが搭載されている。スイッチ回路１１０は、遊技球検出用の各種スイッチからの検出信号を取り込んで遊技制御用マイクロコンピュータ１００に伝送する。ソレノイド回路１１１は、遊技制御用マイクロコンピュータ１００からのソレノイド駆動信号を、普通電動役物用のソレノイド８１や大入賞口扉用のソレノイド８２に伝送する。
【００４５】
演出制御基板１２は、主基板１１とは独立したサブ側の制御基板であり、中継基板１５を介して主基板１１から伝送された制御信号を受信して、画像表示装置５、スピーカ８Ｌ、８Ｒ及び遊技効果ランプ９や装飾用ＬＥＤといった演出用の電気部品による演出動作を制御するための各種回路が搭載されている。すなわち、演出制御基板１２は、画像表示装置５における表示動作や、スピーカ８Ｌ、８Ｒからの音声出力動作の全部または一部、遊技効果ランプ９や装飾用ＬＥＤなどにおける点灯／消灯動作の全部または一部といった、演出用の電気部品に所定の演出動作を実行させるための制御内容を決定する機能を備えている。
【００４６】
音声制御基板１３は、演出制御基板１２とは別個に設けられた音声出力制御用の制御基板であり、演出制御基板１２からの指令や制御データなどに基づき、スピーカ８Ｌ、８Ｒから音声を出力させるための音声信号処理を実行する処理回路などが搭載されている。ランプ制御基板１４は、演出制御基板１２とは別個に設けられたランプ出力制御用の制御基板であり、演出制御基板１２からの指令や制御データなどに基づき、遊技効果ランプ９や装飾用ＬＥＤなどにおける点灯／消灯駆動を行うランプドライバ回路などが搭載されている。
【００４７】
図４に示すように、主基板１１には、ゲートスイッチ２１、始動口スイッチ（第１始動口スイッチ２２Ａおよび第２始動口スイッチ２２Ｂ）、カウントスイッチ２３といった、各種スイッチからの検出信号を伝送する配線が接続されている。なお、各種スイッチは、例えばセンサと称されるものなどのように、遊技媒体としての遊技球を検出できる任意の構成を有するものであればよい。また、主基板１１には、第１特別図柄表示装置４Ａ、第２特別図柄表示装置４Ｂ、普通図柄表示器２０などの表示制御を行うための指令信号を伝送する配線が接続されている。
【００４８】
主基板１１から演出制御基板１２に向けて伝送される制御信号は、中継基板１５によって中継される。中継基板１５を介して主基板１１から演出制御基板１２に対して伝送される制御コマンドは、例えば電気信号として送受信される演出制御コマンドである。演出制御コマンドには、例えば画像表示装置５における画像表示動作を制御するために用いられる表示制御コマンドや、スピーカ８Ｌ、８Ｒからの音声出力を制御するために用いられる音声制御コマンド、遊技効果ランプ９や装飾用ＬＥＤの点灯動作などを制御するために用いられるランプ制御コマンドが含まれている。これらの演出制御コマンドはいずれも、例えば２バイト構成であり、１バイト目はＭＯＤＥ（コマンドの分類）を示し、２バイト目はＥＸＴ（コマンドの種類）を表す。ＭＯＤＥデータの先頭ビット（ビット７）は必ず「１」となり、ＥＸＴデータの先頭ビットは「０」となるように、予め設定されていればよい。
【００４９】
主基板１１に搭載された遊技制御用マイクロコンピュータ１００は、例えば１チップのマイクロコンピュータであり、遊技制御用のプログラムや固定データ等を記憶するＲＯＭ（Read Only Memory）１０１と、遊技制御用のワークエリアを提供するＲＡＭ（Random Access Memory）１０２と、遊技制御用のプログラムを実行して制御動作を行うＣＰＵ（Central Processing Unit）１０３と、ＣＰＵ１０３とは独立して乱数値を示す数値データの更新を行う乱数回路１０４と、Ｉ／Ｏ（Input/Output port）１０５とを備えて構成される。
【００５０】
一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。このときには、ＣＰＵ１０３がＲＯＭ１０１から固定データを読み出す固定データ読出動作や、ＣＰＵ１０３がＲＡＭ１０２に各種の変動データを書き込んで一時記憶させる変動データ書込動作、ＣＰＵ１０３がＲＡＭ１０２に一時記憶されている各種の変動データを読み出す変動データ読出動作、ＣＰＵ１０３がＩ／Ｏ１０５を介して遊技制御用マイクロコンピュータ１００の外部から各種信号の入力を受け付ける受信動作、ＣＰＵ１０３がＩ／Ｏ１０５を介して遊技制御用マイクロコンピュータ１００の外部へと各種信号を出力する送信動作なども行われる。
【００５１】
なお、遊技制御用マイクロコンピュータ１００を構成する１チップのマイクロコンピュータは、少なくともＣＰＵ１０３の他にＲＡＭ１０２が内蔵されていればよく、ＲＯＭ１０１や乱数回路１０４、Ｉ／Ｏ１０５などは外付けされてもよい。
【００５２】
遊技制御用マイクロコンピュータ１００では、例えば乱数回路１０４などにより、遊技の進行を制御するために用いられる各種の乱数値を示す数値データが更新可能にカウントされる。遊技の進行を制御するために用いられる乱数は、遊技用乱数ともいう。遊技用乱数は、乱数回路１０４などのハードウェアによって更新されるものであってもよいし、遊技制御用マイクロコンピュータ１００のＣＰＵ１０３が所定のコンピュータプログラムを実行することでソフトウェアによって更新されるものであってもよい。例えば、遊技制御用マイクロコンピュータ１００におけるＲＡＭ１０２の所定領域（遊技制御カウンタ設定部など）に設けられたランダムカウンタや、ＲＡＭ１０２とは別個の内部レジスタに設けられたランダムカウンタに、所定の乱数値を示す数値データを格納し、ＣＰＵ１０３が定期的または不定期的に格納値を更新することで、乱数値の更新が行われるようにしてもよい。
【００５３】
遊技制御用マイクロコンピュータ１００が備えるＲＯＭ１０１には、ゲーム制御用のプログラムの他にも、遊技の進行を制御するために用いられる各種の選択用データ、テーブルデータなどが格納されている。例えば、ＲＯＭ１０１には、ＣＰＵ１０３が各種の判定や決定、設定を行うために用意された複数の判定テーブルや決定テーブル、設定テーブルなどを構成するデータが記憶されている。また、ＲＯＭ１０１には、ＣＰＵ１０３が主基板１１から各種の制御コマンドとなる制御信号を送信するために用いられる複数のコマンドテーブルを構成するテーブルデータや、変動パターンを複数種類格納する変動パターンテーブルを構成するテーブルデータなどが、記憶されている。遊技制御用マイクロコンピュータ１００が備えるＲＡＭ１０２には、パチンコ遊技機１における遊技の進行などを制御するために用いられる各種データが書換可能に一時記憶される。
【００５４】
演出制御基板１２には、プログラムに従って制御動作を行う演出制御用ＣＰＵ１２０と、演出制御用のプログラムや固定データ等を記憶するＲＯＭ１２１と、演出制御用ＣＰＵ１２０のワークエリアを提供するＲＡＭ１２２と、画像表示装置５における表示動作の制御内容を決定するための処理などを実行する表示制御部１２３と、演出制御用ＣＰＵ１２０とは独立して乱数値を示す数値データの更新を行う乱数回路１２４と、Ｉ／Ｏ１２５とが搭載されている。
【００５５】
一例として、演出制御基板１２では、演出制御用ＣＰＵ１２０がＲＯＭ１２１から読み出した演出制御用のプログラムを実行することにより、演出用の電気部品による演出動作を制御するための処理が実行される。このときには、演出制御用ＣＰＵ１２０がＲＯＭ１２１から固定データを読み出す固定データ読出動作や、演出制御用ＣＰＵ１２０がＲＡＭ１２２に各種の変動データを書き込んで一時記憶させる変動データ書込動作、演出制御用ＣＰＵ１２０がＲＡＭ１２２に一時記憶されている各種の変動データを読み出す変動データ読出動作、演出制御用ＣＰＵ１２０がＩ／Ｏ１２５を介して演出制御基板１２の外部から各種信号の入力を受け付ける受信動作、演出制御用ＣＰＵ１２０がＩ／Ｏ１２５を介して演出制御基板１２の外部へと各種信号を出力する送信動作なども行われる。
【００５６】
演出制御用ＣＰＵ１２０、ＲＯＭ１２１、ＲＡＭ１２２は、演出制御基板１２に搭載された１チップの演出制御用マイクロコンピュータに含まれてもよい。演出制御基板１２には、画像表示装置５に対して映像信号を伝送するための配線や、音声制御基板１３に対して音番号データを示す情報信号としての効果音信号を伝送するための配線、ランプ制御基板１４に対してランプデータを示す情報信号としての電飾信号を伝送するための配線などが接続されている。
【００５７】
演出制御基板１２では、例えば乱数回路１２４などにより、演出動作を制御するために用いられる各種の乱数値を示す数値データが更新可能にカウントされる。こうした演出動作を制御するために用いられる乱数は、演出用乱数ともいう。
【００５８】
図４に示す演出制御基板１２に搭載されたＲＯＭ１２１には、演出制御用のプログラムの他にも、演出動作を制御するために用いられる各種のデータテーブルなどが格納されている。例えば、ＲＯＭ１２１には、演出制御用ＣＰＵ１２０が各種の判定や決定、設定を行うために用意された複数の判定テーブルや決定テーブルを構成するテーブルデータ、各種の演出制御パターンを構成するパターンデータなどが記憶されている。演出制御基板１２に搭載されたＲＡＭ１２２には、演出動作を制御するために用いられる各種データが記憶される。
【００５９】
演出制御基板１２に搭載された表示制御部１２３は、演出制御用ＣＰＵ１２０からの表示制御指令などに基づき、画像表示装置５における表示動作の制御内容を決定する。例えば、表示制御部１２３は、画像表示装置５の表示領域内に表示させる演出画像の切換タイミングを決定することなどにより、飾り図柄の可変表示や各種の演出表示を実行させるための制御を行う。一例として、表示制御部１２３には、ＶＤＰ（Video Display Processor）、ＣＧＲＯＭ（Character Generator ROM）、ＶＲＡＭ（Video RAM）、ＬＣＤ駆動回路などが搭載されていればよい。なお、ＶＤＰは、ＧＰＵ（Graphics Processing Unit）、ＧＣＬ（Graphics Controller LSI）、あるいは、より一般的にＤＳＰ（Digital Signal Processor）と称される画像処理用のマイクロプロセッサであってもよい。ＣＧＲＯＭは、例えば書換不能な半導体メモリであってもよいし、フラッシュメモリなどの書換可能な半導体メモリであってもよく、あるいは、磁気メモリ、光学メモリといった、不揮発性記録媒体のいずれかを用いて構成されたものであればよい。
【００６０】
演出制御基板１２に搭載されたＩ／Ｏ１２５は、例えば主基板１１などから伝送された演出制御コマンドを取り込むための入力ポートと、演出制御基板１２の外部へと各種信号を伝送するための出力ポートとを含んで構成される。例えば、Ｉ／Ｏ１２５の出力ポートからは、画像表示装置５へと伝送される映像信号や、音声制御基板１３へと伝送される指令（効果音信号）、ランプ制御基板１４へと伝送される指令（電飾信号）などが出力される。
【００６１】
パチンコ遊技機１においては、遊技媒体としての遊技球を用いた所定の遊技が行われ、その遊技結果に基づいて所定の遊技価値が付与可能となる。遊技球を用いた遊技の一例として、パチンコ遊技機１における筐体前面の右下方に設置された打球操作ハンドルが遊技者によって所定操作（例えば回転操作）されたことに基づいて、所定の打球発射装置が備える発射モータなどにより、遊技媒体としての遊技球が遊技領域に向けて発射される。遊技領域を流下した遊技球が、普通入賞球装置６Ａに形成された第１始動入賞口（第１始動領域）を通過（進入）すると、図４に示す第１始動口スイッチ２２Ａによって遊技球が検出されたことなどにより第１始動条件が成立する。その後、例えば前回の特図ゲームや大当り遊技状態が終了したことなどにより第１開始条件が成立したことに基づいて、第１特別図柄表示装置４Ａによる第１特図を用いた特図ゲームが開始される。
【００６２】
また、遊技球が普通可変入賞球装置６Ｂに形成された第２始動入賞口（第２始動領域）を通過（進入）すると、図４に示す第２始動口スイッチ２２Ｂによって遊技球が検出されたことなどにより第２始動条件が成立する。その後、例えば前回の特図ゲームや大当り遊技状態が終了したことなどにより第２開始条件が成立したことに基づいて、第２特別図柄表示装置４Ｂによる第２特図を用いた特図ゲームが開始される。ただし、普通可変入賞球装置６Ｂが第２状態としての閉鎖状態であるときには、第２始動入賞口を遊技球が通過困難または通過不可能である。
【００６３】
通過ゲート４１を通過した遊技球が図４に示すゲートスイッチ２１によって検出されたことに基づいて、普通図柄表示器２０にて普通図柄の可変表示を実行するための普図始動条件が成立する。その後、例えば前回の普図ゲームが終了したことといった、普通図柄の可変表示を開始するための普図開始条件が成立したことに基づいて、普通図柄表示器２０による普図ゲームが開始される。この普図ゲームでは、普通図柄の変動を開始させた後、所定時間が経過すると、普通図柄の可変表示結果となる確定普通図柄を停止表示（導出表示）する。このとき、確定普通図柄として特定の普通図柄（普図当り図柄）が停止表示されれば、普通図柄の可変表示結果が「普図当り」となる。その一方、確定普通図柄として普図当り図柄以外の普通図柄が停止表示されれば、普通図柄の可変表示結果が「普図ハズレ」となる。普通図柄の可変表示結果が「普図当り」となったことに対応して、普通可変入賞球装置６Ｂを構成する電動チューリップの可動翼片が傾動位置となる開放制御や拡大開放制御が行われ、所定時間が経過すると垂直位置に戻る閉鎖制御や通常開放制御が行われる。
【００６４】
第１特別図柄表示装置４Ａによる第１特図を用いた特図ゲームが開始されるときや、第２特別図柄表示装置４Ｂによる第２特図を用いた特図ゲームが開始されるときには、特別図柄の可変表示結果を予め定められた特定表示結果としての「大当り」にするか否かが、その可変表示結果を導出表示する以前に決定（事前決定）される。そして、可変表示結果の決定に基づく所定割合で、変動パターンの決定などが行われ、可変表示結果や変動パターンを指定する演出制御コマンドが、図４に示す主基板１１の遊技制御用マイクロコンピュータ１００から演出制御基板１２に向けて伝送される。
【００６５】
こうした可変表示結果や変動パターンの決定に基づいて特図ゲームが開始された後、例えば変動パターンに対応して予め定められた可変表示時間が経過したときには、可変表示結果となる確定特別図柄が導出表示される。第１特別図柄表示装置４Ａや第２特別図柄表示装置４Ｂによる特別図柄の可変表示に対応して、画像表示装置５の表示領域に配置された「左」、「中」、「右」の飾り図柄表示エリア５Ｌ、５Ｃ、５Ｒでは、特別図柄とは異なる飾り図柄（演出図柄）の可変表示が行われる。
【００６６】
第１特別図柄表示装置４Ａによる第１特図を用いた特図ゲームや、第２特別図柄表示装置４Ｂによる第２特図を用いた特図ゲームにおいて、特別図柄の可変表示結果となる確定特別図柄が導出表示されるときには、画像表示装置５において飾り図柄の可変表示結果となる確定飾り図柄が導出表示される。特別図柄の可変表示結果として予め定められた大当り図柄が導出表示されたときには、可変表示結果（特図表示結果）が「大当り」（特定表示結果）となり、遊技者にとって有利な特定遊技状態としての大当り遊技状態に制御される。特別図柄の可変表示結果として、大当り図柄が導出表示されず、ハズレ図柄が導出表示されたときには、可変表示結果（特図表示結果）が「ハズレ」となる。
【００６７】
一例として、「３」や「７」の数字を示す特別図柄を大当り図柄とし、「−」の記号を示す特別図柄をハズレ図柄とする。なお、第１特別図柄表示装置４Ａによる特図ゲームにおける大当り図柄やハズレ図柄といった各図柄は、第２特別図柄表示装置４Ｂによる特図ゲームにおける各図柄とは異なる特別図柄となるようにしてもよいし、双方の特図ゲームにおいて共通の特別図柄が大当り図柄やハズレ図柄となるようにしてもよい。また、数字や記号として特定の意味を有する点灯パターンの特別図柄を大当り図柄やハズレ図柄とするものに限定されず、例えば７セグメントのＬＥＤにおける任意の点灯パターンの特別図柄を、大当り図柄やハズレ図柄としてもよい。
【００６８】
大当り遊技状態では、大入賞口が開放状態となって特別可変入賞球装置７が遊技者にとって有利な第１状態となる。そして、所定期間（例えば２９秒間）あるいは所定個数（例えば９個）の遊技球が大入賞口に進入して入賞球が発生するまでの期間にて、大入賞口を継続して開放状態とするラウンド遊技が実行される。こうしたラウンド遊技の実行期間以外の期間では、大入賞口が閉鎖状態となり、入賞球が発生困難または発生不可能となる。大入賞口に遊技球が進入したときには、カウントスイッチ２３により入賞球が検出され、その検出ごとに所定個数（例えば１４個）の遊技球が賞球として払い出される。大当り遊技状態におけるラウンド遊技は、所定の上限回数（例えば「１５」）に達するまで繰り返し実行される。
【００６９】
特図表示結果が「大当り」となる場合には、大当り種別が「非確変」または「確変」のいずれかとなる場合が含まれている。例えば、特別図柄の可変表示結果として、「３」の数字を示す大当り図柄が導出表示されたときには大当り種別が「非確変」となり、「７」の数字を示す大当り図柄が導出表示されたときには大当り種別が「確変」となる。大当り種別が「非確変」または「確変」となった場合には、大当り遊技状態におけるラウンド遊技として、特別可変入賞球装置７を遊技者にとって有利な第１状態（大入賞口を開放状態）とする上限時間が比較的に長い時間（例えば２９秒など）となる通常開放ラウンドが実行される。なお、大当り遊技状態におけるラウンド遊技として、特別可変入賞球装置７を第１状態（大入賞口を開放状態）とする上限時間が比較的に短い時間（例えば０．１秒など）となる短期開放ラウンドが実行される大当り種別（例えば「突確」など）を設けてもよい。通常開放ラウンドが実行される大当り遊技状態は、第１特定遊技状態ともいう。短期開放ラウンドが実行される大当り遊技状態は、第２特定遊技状態ともいう。
【００７０】
大当り遊技状態が終了した後には、所定の確変制御条件が成立したことに基づいて、可変表示結果が「大当り」となる確率（大当り確率）が通常状態よりも高くなる確変状態に制御されることがある。確変状態は、所定回数の可変表示が実行されること、あるいは次回の大当り遊技状態が開始されることといった、所定の確変終了条件が成立するまで、継続するように制御される。また、大当り遊技状態が終了した後には、平均的な可変表示時間が通常状態よりも短くなる時短状態に制御されることがある。時短状態は、所定回数の可変表示が実行されたことと、次回の大当り遊技状態が開始されたことのうち、いずれか一方の時短終了条件が先に成立するまで、継続するように制御される。一例として、大当り種別が「非確変」である場合に大当り遊技状態が終了した後には、遊技状態が時短状態となる。一方、大当り種別が「確変」である場合に大当り遊技状態が終了した後には、遊技状態が確変状態となる。
【００７１】
確変状態や時短状態では、通常状態よりも第２始動入賞口を遊技球が通過（進入）しやすい有利変化態様で、普通可変入賞球装置６Ｂを第１状態（開放状態）と第２状態（閉鎖状態）とに変化させる。例えば、普通図柄表示器２０による普図ゲームにおける普通図柄の変動時間（普図変動時間）を通常状態のときよりも短くする制御や、各回の普図ゲームで普通図柄の可変表示結果が「普図当り」となる確率を通常状態のときよりも向上させる制御、可変表示結果が「普図当り」となったことに基づく普通可変入賞球装置６Ｂにおける可動翼片の傾動制御を行う傾動制御時間を通常状態のときよりも長くする制御、その傾動回数を通常状態のときよりも増加させる制御により、普通可変入賞球装置６Ｂを有利変化態様で第１状態と第２状態とに変化させればよい。なお、これらの制御のいずれか１つが行われるようにしてもよいし、複数の制御が組み合わせられて行われるようにしてもよい。このように、普通可変入賞球装置６Ｂを有利変化態様で第１状態と第２状態とに変化させる制御は、高開放制御（「高ベース制御」ともいう）と称される。こうした確変状態や時短状態に制御されることにより、次に可変表示結果が「大当り」となるまでの所要時間が短縮され、通常状態よりも遊技者にとって有利な特別遊技状態となる。
【００７２】
パチンコ遊技機１において遊技媒体として用いられる遊技球や、その個数に対応して付与される得点の記録情報は、例えば数量に応じて特殊景品や一般景品に交換可能な有価価値を有するものであればよい。あるいは、これらの遊技球や得点の記録情報は、特殊景品や一般景品には交換できないものの、パチンコ遊技機１で再度の遊技に使用可能な有価価値を有するものであってもよい。
【００７３】
画像表示装置５に設けられた「左」、「中」、「右」の飾り図柄表示エリア５Ｌ、５Ｃ、５Ｒでは、第１特別図柄表示装置４Ａにおける第１特図を用いた特図ゲームと、第２特別図柄表示装置４Ｂにおける第２特図を用いた特図ゲームとのうち、いずれかの特図ゲームが開始されることに対応して、飾り図柄の可変表示が開始される。そして、飾り図柄の可変表示が開始されてから「左」、「中」、「右」の各飾り図柄表示エリア５Ｌ、５Ｃ、５Ｒにおける確定飾り図柄の停止表示により可変表示が終了するまでの期間では、飾り図柄の可変表示態様が所定のリーチ態様となることがある。
【００７４】
ここで、リーチ態様とは、画像表示装置５の表示領域にて停止表示された飾り図柄が大当り組合せの一部を構成しているときに未だ停止表示されていない飾り図柄（「リーチ変動図柄」ともいう）については変動が継続している表示態様、あるいは、全部または一部の飾り図柄が大当り組合せの全部または一部を構成しながら同期して変動している表示態様のことである。具体的には、「左」、「中」、「右」の飾り図柄表示エリア５Ｌ、５Ｃ、５Ｒにおける一部（例えば「左」及び「右」の飾り図柄表示エリア５Ｌ、５Ｒなど）では予め定められた大当り組合せを構成する飾り図柄（例えば「７」の英数字を示す飾り図柄）が停止表示されているときに未だ停止表示していない残りの飾り図柄表示エリア（例えば「中」の飾り図柄表示エリア５Ｃなど）では飾り図柄が変動している表示態様、あるいは、「左」、「中」、「右」の飾り図柄表示エリア５Ｌ、５Ｃ、５Ｒにおける全部または一部で飾り図柄が大当り組合せの全部または一部を構成しながら同期して変動している表示態様である。
【００７５】
また、リーチ態様となったことに対応して、飾り図柄の変動速度を低下させたり、画像表示装置５の表示領域に飾り図柄とは異なるキャラクタ画像（人物等を模した演出画像）を表示させたり、背景画像の表示態様を変化させたり、飾り図柄とは異なる動画像を再生表示させたり、飾り図柄の可変表示態様を変化させたりすることで、リーチ態様となる以前とは異なる演出動作が実行される場合がある。このようなキャラクタ画像の表示や背景画像の表示態様の変化、動画像の再生表示、飾り図柄の可変表示態様の変化といった演出動作を、リーチ演出表示（あるいは単にリーチ演出）という。なお、リーチ演出には、画像表示装置５における表示動作のみならず、スピーカ８Ｌ、８Ｒによる音声出力動作や、遊技効果ランプ９などの発光体における点灯動作（点滅動作）などを、リーチ態様となる以前の動作態様とは異なる動作態様とすることが、含まれていてもよい。
【００７６】
リーチ演出における演出動作としては、互いに動作態様（演出態様）が異なる複数種類の演出パターン（「リーチパターン」ともいう）が、予め用意されていればよい。そして、それぞれのリーチ演出における演出態様に応じて、「大当り」となる可能性（「信頼度」あるいは「大当り信頼度」ともいう）が異なる。すなわち、複数種類のリーチ演出のいずれが実行されるかに応じて、可変表示結果が「大当り」となる可能性を異ならせることができる。この実施の形態では、一例として、ノーマル、スーパーＡ、スーパーＢといったリーチ演出が予め設定されている。そして、スーパーＡやスーパーＢといったスーパーリーチのリーチ演出が実行された場合には、ノーマルのリーチ演出が実行された場合に比べて、可変表示結果が「大当り」となる可能性（大当り期待度）が高くなる。
【００７７】
飾り図柄の可変表示中には、リーチ演出とは異なり、飾り図柄の可変表示態様がリーチ態様となる可能性があることや、可変表示結果が「大当り」となる可能性があることなどを、飾り図柄の可変表示動作などにより遊技者に報知するための可変表示演出が実行されることがある。一例として、飾り図柄の可変表示中には「擬似連」の可変表示演出が実行可能であればよい。「擬似連」の可変表示演出は、本来は１つの保留記憶に対応する１回の変動であるものの、複数の保留記憶に対応する複数回の変動が連続して行われているように見せる可変表示演出である。「擬似連」の可変表示演出は、主基板１１の側で変動パターンが決定されることなどに対応して実行するか否かが決定されればよい。
【００７８】
「擬似連」の可変表示演出では、一例として、「左」、「中」、「右」の飾り図柄表示エリア５Ｌ、５Ｃ、５Ｒにて、特殊組合せの擬似連チャンス目として予め定められた複数種類のハズレ組合せのいずれかとなる飾り図柄が仮停止表示され、その後に飾り図柄の再可変表示（再変動や擬似連変動ともいう）が行われる。擬似連チャンス目には、飾り図柄の可変表示態様がリーチ態様とならずに、所定の非リーチ組合せとなる飾り図柄の組合せが含まれてもよい。また、擬似連チャンス目には、飾り図柄の可変表示態様がリーチ態様となった後に、所定のリーチハズレ組合せ（単に、「リーチ組合せ」ともいう）となる飾り図柄の組合せが含まれてもよい。例えば擬似連チャンス目のうちで「中」の飾り図柄表示エリア５Ｃに停止表示される飾り図柄（中図柄）を、通常時における飾り図柄の可変表示では使用されない特殊な飾り図柄（擬似連チャンス図柄）としてもよい。通常時における飾り図柄の可変表示でも使用される飾り図柄のうちに、「中」の飾り図柄表示エリア５Ｃに停止表示されることで擬似連チャンス目となる擬似連チャンス図柄が含まれてもよい。
【００７９】
擬似連チャンス図柄を含む擬似連チャンス目を停止表示することのように、「擬似連」の可変表示演出において初回変動を含む複数回の変動表示に伴って実行される画像表示などの所定演出は、再変動演出という。再変動演出として、擬似連チャンス図柄といった特殊な飾り図柄を停止表示することに代えて、あるいは特殊な飾り図柄の停止表示とともに、「擬似連」の可変表示演出による各変動表示（初回変動を含む）の期間中に、画像表示装置５の画面上に特定のキャラクタ画像といった所定の演出画像を表示するとともに、例えば「もう一回」といったメッセージ画像を表示するように制御されてもよい。また、「擬似連」の可変表示演出による各変動表示（初回変動を含む）の期間中に、演出を所定期間巻き戻す巻戻し演出を実行するように制御されてもよい。
【００８０】
また、再変動演出は、画像表示装置５の画面上（例えば「中」の飾り図柄表示エリア５Ｃ）にて画像表示（例えば擬似連チャンス図柄の仮停止表示など）を行うことによるものに限定されず、各種の演出装置を用いた任意の演出動作を含んでいてもよい。画像表示とは異なる再変動演出の一例として、「擬似連」の可変表示演出による各変動表示（初回変動を含む）の期間中に、遊技領域の内部または外部に設けられた複数の装飾用ＬＥＤのうちで点灯されるものが１つずつ増えていくように制御されてもよい。また、各変動表示（初回変動を含む）の期間中に、装飾用ＬＥＤの表示色が変化するように制御されてもよいし、複数の装飾用ＬＥＤのうちで点灯されるものが変化するように制御されてもよい。
【００８１】
また、再変動演出として、例えば擬似連チャンス目となる飾り図柄が仮停止表示されるときなどに、特殊な効果音となる音声をスピーカ８Ｌ、８Ｒから出力するように制御されてもよい。こうした再変動演出の一部または全部に加えて、あるいは、これらの再変動演出の一部または全部に代えて、装飾用ＬＥＤの点灯や点滅、演出用模型の動作、演出画像の表示、効果音の出力のうち、一部または全部を組み合わせた再変動演出を実行するように制御されてもよい。このとき、１種類の演出態様のみで再変動演出が実行される場合よりも、複数種類の演出態様を組み合わせた再変動演出が実行される期間を含んでいる場合や、複数回の再変動演出における演出態様が変化する場合に、可変表示結果が「大当り」となる可能性（大当り期待度）といった、所定の遊技価値が付与される可能性が高まるようにしてもよい。
【００８２】
この実施の形態では、「擬似連」の可変表示演出において、再変動が１回〜３回行われることにより、第１開始条件あるいは第２開始条件が１回成立したことに基づき、飾り図柄の可変表示があたかも２回〜４回続けて開始されたかのように見せることができる。そして、再変動の実行回数（擬似連回数）が多くなったときには、再変動の実行回数（擬似連回数）が少ないときよりも、可変表示結果が「大当り」となる可能性（大当り期待度）が高くなるように設定されている。なお、再変動の実行回数（擬似連回数）によって演出の発生割合が変化するように制御されてもよい。例えば再変動が２回行われることにより「リーチ確定」となり、再変動が３回行われることにより「スーパーリーチ確定」となるようにしてもよい。また、「擬似連」の可変表示演出における再変動の回数は、例えば４回や５回といったように、１回〜３回よりも多い回数であってもよい。
【００８３】
こうした飾り図柄の可変表示動作を利用した可変表示演出としては、「擬似連」の他にも、例えば「滑り」や「発展チャンス目」、「発展チャンス目終了」、「チャンス目停止後滑り」といった、各種の演出動作が実行されてもよい。ここで、「滑り」の可変表示演出では、飾り図柄の可変表示が開始されてから可変表示結果となる確定飾り図柄が導出表示されるまでに、「左」、「中」、「右」の飾り図柄表示エリア５Ｌ、５Ｃ、５Ｒにおける全部にて飾り図柄を変動させてから、単一または複数の飾り図柄表示エリア（例えば「左」及び「右」の飾り図柄表示エリア５Ｌ、５Ｒなど）にて飾り図柄を仮停止表示させた後、その仮停止表示した飾り図柄表示エリアのうち所定数（例えば「１」または「２」）の飾り図柄表示エリア（例えば「左」の飾り図柄表示エリア５Ｌと「右」の飾り図柄表示エリア５Ｒのいずれか一方または双方）にて飾り図柄を再び変動させた後に停止表示させることで、停止表示する飾り図柄を変更させる演出表示が行われる。
【００８４】
「発展チャンス目」の可変表示演出では、飾り図柄の可変表示が開始されてから可変表示結果となる確定飾り図柄が導出表示されるまでに、「左」、「中」、「右」の飾り図柄表示エリア５Ｌ、５Ｃ、５Ｒにおける全部にて、予め定められた特殊組合せに含まれる発展チャンス目を構成する飾り図柄を仮停止表示させた後、飾り図柄の可変表示態様をリーチ態様として所定のリーチ演出が開始される。一方、「発展チャンス目終了」の可変表示演出では、飾り図柄の可変表示が開始された後に、「左」、「中」、「右」の飾り図柄表示エリア５Ｌ、５Ｃ、５Ｒにおける全部にて、発展チャンス目として予め定められた組合せの飾り図柄を、確定飾り図柄として導出表示させる演出表示が行われる。「チャンス目停止後滑り」の可変表示演出では、「擬似連」の可変表示演出と同様に、飾り図柄の可変表示が開始されてから可変表示結果となる確定飾り図柄が導出表示されるまでに、「左」、「中」、「右」の飾り図柄表示エリア５Ｌ、５Ｃ、５Ｒにおける全部にて擬似連チャンス目となるハズレ組合せ（特殊組合せ）の飾り図柄を一旦仮停止表示させた後、飾り図柄表示エリア５Ｌ、５Ｃ、５Ｒの全部にて飾り図柄を再び変動させる「擬似連」の可変表示演出とは異なり、飾り図柄表示エリア５Ｌ、５Ｃ、５Ｒの一部にて飾り図柄を再び変動させることで、停止表示する飾り図柄を変更させる演出表示が行われる。
【００８５】
この実施の形態では、「擬似連」の可変表示演出が実行される可変表示において、ブランク図柄変化演出が実行可能に設定されている。ブランク図柄変化演出は、「左」、「中」、「右」の飾り図柄表示エリア５Ｌ、５Ｃ、５Ｒにおいて仮停止表示された飾り図柄に含まれるブランク図柄が、「１」〜「８」のいずれかの英数字に変化する演出である。ブランク図柄変化演出が実行された場合、例えば飾り図柄表示エリア５Ｒ−１又は５Ｒ−３に仮停止表示されたブランク図柄が英数字に変化して、「左」、「中」、「右」の飾り図柄表示エリア５Ｌ、５Ｃ、５Ｒにて擬似連チャンス目が仮停止表示された状態となる。なお、ブランク図柄が英数字に変化しても、「左」、「中」、「右」の飾り図柄表示エリア５Ｌ、５Ｃ、５Ｒにて擬似連チャンス目が仮停止表示されないガセのブランク図柄変化演出を実行可能に設定してもよい。また、ブランク図柄が変化する飾り図柄表示エリアは、５Ｒ−１又は５Ｒ−３に限定されず、他の飾り図柄表示エリアであってもよい。変化するブランク図柄は、右図柄に含まれるブランク図柄に限られず、左図柄又は中図柄に含まれるブランク図柄、左図柄、中図柄及び右図柄の全部又は一部に含まれるブランク図柄であってもよい。
【００８６】
飾り図柄の可変表示中には、リーチ演出や擬似連の可変表示演出とは異なり、例えば所定の演出画像を表示することや、メッセージとなる画像表示や音声出力、遊技効果ランプ９や装飾用ＬＥＤの点灯動作、あるいは演出用役物などの演出用模型の所定動作などのように、飾り図柄の可変表示動作とは異なる演出動作により、例えば飾り図柄の可変表示態様がリーチ態様となる可能性があることや、スーパーリーチによるリーチ演出が実行される可能性があること、可変表示結果が「大当り」となる可能性があることなどといった、パチンコ遊技機１において実行される遊技の有利度を、遊技者に予め告知（示唆）するための予告演出が実行されることがある。
【００８７】
予告演出となる演出動作は、「左」、「中」、「右」の飾り図柄表示エリア５Ｌ、５Ｃ、５Ｒの全部にて飾り図柄の可変表示が開始されてから、飾り図柄の可変表示状態がリーチ状態となるより前（「左」及び「右」の飾り図柄表示エリア５Ｌ、５Ｒにて飾り図柄が仮停止表示されるより前）に実行（開始）されるものであればよい。また、可変表示結果が「大当り」となる可能性があることを報知する予告演出には、飾り図柄の可変表示状態がリーチ状態となった後に実行されるものが含まれていてもよい。このように、予告演出は、特別図柄や飾り図柄の可変表示が開始されてから可変表示結果となる確定特別図柄や確定飾り図柄が導出されるまでの所定タイミングにて、大当り遊技状態となる可能性を予告できるものであればよい。こうした予告演出を実行する場合における演出動作の内容（演出態様）に対応して、複数の予告パターンが予め用意されている。予告演出となる演出動作は、それが実行されるか否かによっては特別図柄の可変表示時間に変化が生じないものであればよい。
【００８８】
特図ゲームにおける特別図柄の可変表示結果である特図表示結果が「大当り」となるときには、画像表示装置５の表示領域において、予め定められた大当り組合せとなる確定飾り図柄が導出表示される。一例として、大当り種別が「非確変」または「確変」となる場合には、「左」、「中」、「右」の飾り図柄表示エリア５Ｌ、５Ｃ、５Ｒにおける所定の有効ライン上に同一の飾り図柄（英数字）が揃って停止表示されることにより、大当り組合せとなる確定飾り図柄が導出表示されればよい。
【００８９】
特図表示結果が「ハズレ」となる場合には、飾り図柄の可変表示態様がリーチ態様とならずに、所定の非リーチ組合せを構成する飾り図柄が停止表示されることにより、非特定表示結果となる確定飾り図柄が導出表示されることがある（非リーチ）。また、特図表示結果が「ハズレ」となる場合には、飾り図柄の可変表示態様がリーチ態様となった後に、所定のリーチ組合せ（「リーチハズレ組合せ」ともいう）を構成する飾り図柄が停止表示されることにより、非特定表示結果となる確定飾り図柄が導出表示されることもある（リーチハズレ）。
【００９０】
次に、本実施の形態におけるパチンコ遊技機１の動作（作用）を説明する。
【００９１】
主基板１１では、所定の電源基板からの電力供給が開始されると、遊技制御用マイクロコンピュータ１００が起動し、ＣＰＵ１０３によって遊技制御メイン処理となる所定の処理が実行される。遊技制御メイン処理を開始すると、ＣＰＵ１０３は、割込み禁止に設定した後、必要な初期設定を行う。この初期設定では、例えばＲＡＭ１０１がクリアされる。また、遊技制御用マイクロコンピュータ１００に内蔵されたＣＴＣ（カウンタ／タイマ回路）のレジスタ設定を行う。これにより、以後、所定時間（例えば、２ミリ秒）ごとにＣＴＣから割込み要求信号がＣＰＵ１０３へ送出され、ＣＰＵ１０３は定期的にタイマ割込み処理を実行することができる。初期設定が終了すると、割込みを許可した後、ループ処理に入る。なお、遊技制御メイン処理では、パチンコ遊技機１の内部状態を前回の電力供給停止時における状態に復帰させるための処理を実行してから、ループ処理に入るようにしてもよい。
【００９２】
こうした遊技制御メイン処理を実行したＣＰＵ１０３は、ＣＴＣからの割込み要求信号を受信して割込み要求を受け付けると、割込み禁止状態に設定して、所定の遊技制御用タイマ割込み処理を実行する。遊技制御用タイマ割込処理には、例えばスイッチ処理やメイン側エラー処理、情報出力処理、遊技用乱数更新処理、特別図柄プロセス処理、普通図柄プロセス処理、コマンド制御処理といった、パチンコ遊技機１における遊技の進行などを制御するための処理が含まれている。
【００９３】
スイッチ処理は、スイッチ回路１１０を介してゲートスイッチ２１、第１始動口スイッチ２２Ａ、第２始動口スイッチ２２Ｂ、カウントスイッチ２３といった各種スイッチから入力される検出信号の状態を判定する処理である。メイン側エラー処理は、パチンコ遊技機１の異常診断を行い、その診断結果に応じて必要ならば警告を発生可能とする処理である。情報出力処理は、例えばパチンコ遊技機１の外部に設置されたホール管理用コンピュータに供給される大当り情報、始動情報、確率変動情報などのデータを出力する処理である。遊技用乱数更新処理は、主基板１１の側で用いられる複数種類の遊技用乱数のうち、少なくとも一部をソフトウェアにより更新するための処理である。
【００９４】
一例として、主基板１１の側で用いられる遊技用乱数には、特図表示結果決定用の乱数値ＭＲ１と、大当り種別決定用の乱数値ＭＲ２と、変動パターン決定用の乱数値ＭＲ３と、普図表示結果決定用の乱数値ＭＲ４とがあればよい。特図表示結果決定用の乱数値ＭＲ１は、特図ゲームにおける特別図柄などの可変表示結果を「大当り」として大当り遊技状態に制御するか否かの決定に用いられる乱数値である。大当り種別決定用の乱数値ＭＲ２は、可変表示結果を「大当り」とする場合における大当り種別を、例えば「非確変」や「確変」といった複数種別のいずれかに決定するために用いられる乱数値である。変動パターン決定用の乱数値ＭＲ３は、特別図柄や飾り図柄の可変表示における変動パターンを、予め用意された複数パターンのいずれかに決定するために用いられる乱数値である。普図表示結果決定用の乱数値ＭＲ４は、普通図柄表示器２０による普図ゲームにおける可変表示結果を「普図当り」とするか「普図ハズレ」とするかなどの決定を行うために用いられる乱数値である。
【００９５】
遊技制御用タイマ割込処理に含まれる特別図柄プロセス処理では、ＲＡＭ１０２に設けられた特図プロセスフラグの値をパチンコ遊技機１における遊技の進行状況に応じて更新し、第１特別図柄表示装置４Ａや第２特別図柄表示装置４Ｂにおける表示動作の制御や、特別可変入賞球装置７における大入賞口の開閉動作設定などを、所定の手順で行うために、各種の処理が選択されて実行される。普通図柄プロセス処理は、普通図柄表示器２０における表示動作（例えばセグメントＬＥＤの点灯、消灯など）を制御して、普通図柄の可変表示や普通可変入賞球装置６Ｂにおける可動翼片の傾動動作設定などを可能にする処理である。
【００９６】
コマンド制御処理は、主基板１１から演出制御基板１２などのサブ側の制御基板に対して制御コマンドを伝送させる処理である。一例として、コマンド制御処理では、ＲＡＭ１０２に設けられた送信コマンドバッファの値によって指定されたコマンド送信テーブルにおける設定に対応して、Ｉ／Ｏ１０５に含まれる出力ポートのうち、演出制御基板１２に対して演出制御コマンドを送信するための出力ポートに制御データをセットした後、演出制御ＩＮＴ信号の出力ポートに所定の制御データをセットして演出制御ＩＮＴ信号を所定時間にわたりオン状態としてからオフ状態とすることなどにより、コマンド送信テーブルでの設定に基づく演出制御コマンドの伝送を可能にする。コマンド制御処理を実行した後には、割込み許可状態に設定してから、遊技制御用タイマ割込み処理を終了する。
【００９７】
図５は、特別図柄プロセス処理の一例を示すフローチャートである。この特別図柄プロセス処理において、ＣＰＵ１０３は、まず、始動入賞判定処理を実行する（ステップＳ１０１）。始動入賞判定処理では、第１始動口スイッチ２２Ａや第２始動口スイッチ２２Ｂがオンであるか否かが判定される。このとき、第１始動口スイッチ２２Ａがオンであれば、普通入賞球装置６Ａに形成された第１始動入賞口を遊技球が通過（進入）したことに基づいて、第１特図を用いた特図ゲームの保留記憶数である第１特図保留記憶数を更新するための第１始動入賞処理が行われる。一方、第２始動口スイッチ２２Ｂがオンであれば、普通可変入賞球装置６Ｂに形成された第２始動入賞口を遊技球が通過（進入）したことに基づいて、第２特図を用いた特図ゲームの保留記憶数である第２特図保留記憶数を更新するための第２始動入賞処理が行われる。
【００９８】
一例として、第１始動入賞処理では、第１特図保留記憶数が所定の上限値（例えば「４」）となっているか否かを判定する。このとき第１特図保留記憶数が上限値に達していれば、第１始動入賞処理を終了する。一方、第１特図保留記憶数が上限値未満であれば、ＲＡＭ１０２の所定領域（例えば遊技制御カウンタ設定部）に設けられた第１保留記憶数カウンタの格納値である第１保留記憶数カウント値を１加算する。こうして、第１保留記憶数カウント値は、第１始動入賞口を遊技球が通過（進入）して第１特図を用いた特図ゲームに対応した第１始動条件が成立したときに、１増加（インクリメント）するように更新される。その後、始動入賞の発生に対応した所定の遊技用乱数を抽出して、ＲＡＭ１０２の所定領域（例えば第１特図保留記憶部）に保留データ（保留情報）として記憶させる。
【００９９】
第２始動入賞処理では、第２特図保留記憶数が所定の上限値（例えば「４」）となっているか否かを判定する。このとき第２特図保留記憶数が上限値に達していれば、第２始動入賞処理を終了する。一方、第２特図保留記憶数が上限値未満であれば、ＲＡＭ１０２の所定領域（例えば遊技制御カウンタ設定部）に設けられた第２保留記憶数カウンタの格納値である第２保留記憶数カウント値を１加算する。こうして、第２保留記憶数カウント値は、第２始動入賞口を遊技球が通過（進入）して第２特図を用いた特図ゲームに対応した第２始動条件が成立したときに、１増加（インクリメント）するように更新される。その後、始動入賞の発生に対応した所定の遊技用乱数を抽出して、ＲＡＭ１０２の所定領域（例えば第２特図保留記憶部）に保留データとして記憶させる。
【０１００】
図５に示すステップＳ１０１にて始動入賞判定処理を実行した後、ＣＰＵ１０３は、ＲＡＭ１０２の所定領域（遊技制御フラグ設定部など）に設けられた特図プロセスフラグの値に応じて、ステップＳ１１０〜Ｓ１１７の処理のいずれかを選択して実行する。
【０１０１】
ステップＳ１１０の特別図柄通常処理は、特図プロセスフラグの値が“０”のときに実行される。この特別図柄通常処理では、第１特図保留記憶部１５１Ａや第２特図保留記憶部１５１Ｂに記憶されている保留データの有無などに基づいて、第１特別図柄表示装置４Ａや第２特別図柄表示装置４Ｂによる特図ゲームを開始するか否かの判定が行われる。また、特別図柄通常処理では、特図表示結果決定用の乱数値ＭＲ１を示す数値データに基づき、特別図柄や飾り図柄の可変表示結果を「大当り」とするか否かを、その可変表示結果が導出表示される以前に決定（事前決定）する。さらに、特別図柄通常処理では、特図ゲームにおける特別図柄の可変表示結果に対応して、第１特別図柄表示装置４Ａや第２特別図柄表示装置４Ｂによる特図ゲームにおける確定特別図柄（大当り図柄やハズレ図柄のいずれか）が設定される。特別図柄通常処理では、特別図柄や飾り図柄の可変表示結果を事前決定したときに、特図プロセスフラグの値が“１”に更新される。
【０１０２】
ステップＳ１１１の変動パターン設定処理は、特図プロセスフラグの値が“１”のときに実行される。この変動パターン設定処理には、可変表示結果を「大当り」とするか否かの事前決定結果などに基づいて、変動パターンを複数種類のいずれかに決定する処理などが含まれている。特別図柄や飾り図柄の可変表示時間は、変動パターンに対応して予め設定されている。したがって、変動パターン設定処理にて変動パターンを決定することにより、特別図柄の可変表示を開始してから可変表示結果となる確定特別図柄を導出するまでの可変表示時間が決定される。また、変動パターン設定処理は、可変表示結果が「ハズレ」となる場合に、飾り図柄の可変表示態様を「リーチ」とするか否かを決定する処理を含んでもよい。あるいは、変動パターン設定処理にて可変表示結果が「ハズレ」となる場合の変動パターンを所定割合で決定することにより、飾り図柄の可変表示態様を「リーチ」とするか否かが決定されてもよい。さらに、変動パターン設定処理は、第１特別図柄表示装置４Ａや第２特別図柄表示装置４Ｂにおいて特別図柄の変動を開始させるための設定を行う処理を含んでもよい。変動パターン設定処理が実行されたときには、特図プロセスフラグの値が“２”に更新される。
【０１０３】
ステップＳ１１２の特別図柄変動処理は、特図プロセスフラグの値が“２”のときに実行される。この特別図柄変動処理には、第１特別図柄表示装置４Ａや第２特別図柄表示装置４Ｂにおいて特別図柄を変動させるための設定を行う処理や、その特別図柄が変動を開始してからの経過時間を計測する処理などが含まれている。そして、特別図柄の変動を開始してからの経過時間が特図変動時間に達したときには、特図プロセスフラグの値が“３”に更新される。
【０１０４】
ステップＳ１１３の特別図柄停止処理は、特図プロセスフラグの値が“３”のときに実行される。この特別図柄停止処理には、第１特別図柄表示装置４Ａや第２特別図柄表示装置４Ｂにて特別図柄の変動を停止させ、特別図柄の可変表示結果となる確定特別図柄を停止表示させるための設定を行う処理が含まれている。そして、ＲＡＭ１０２の所定領域（遊技制御フラグ設定部など）に設けられた大当りフラグがオンとなっているか否かの判定などが行われる。大当りフラグがオンである場合には、特図表示結果が「大当り」であることに基づく大当り遊技状態の開始を指定する当り開始指定コマンドの送信設定を行うとともに、特図プロセスフラグの値を“４”に更新する。大当りフラグがオフである場合には、特図プロセスフラグの値を“０”に更新する。
【０１０５】
ステップＳ１１４の大当り開放前処理は、特図プロセスフラグの値が“４”のときに実行される。この大当り開放前処理には、可変表示結果が「大当り」となったことなどに基づき、大当り遊技状態においてラウンド遊技の実行を開始して大入賞口を開放状態とするための設定を行う処理などが含まれている。この処理では、例えば大入賞口を開放状態とする期間の上限を「２９秒」に設定することにより、通常開放ラウンドが実行されるようにすればよい。なお、大当り種別に「突確」を設けた場合には、大入賞口を開放状態とする期間の上限を「０．１秒」に設定することにより、短期開放ラウンドが実行されるようにすればよい。大当り開放前処理が実行されたときには、特図プロセスフラグの値が“５”に更新される。
【０１０６】
ステップＳ１１５の大当り開放中処理は、特図プロセスフラグの値が“５”のときに実行される。この大当り開放中処理には、大入賞口を開放状態としてからの経過時間を計測する処理や、その計測した経過時間やカウントスイッチ２３によって検出された遊技球の個数などに基づいて、大入賞口を開放状態から閉鎖状態に戻すタイミングとなったか否かを判定する処理などが含まれている。そして、大入賞口を閉鎖状態に戻したときには、特図プロセスフラグの値が“６”に更新される。
【０１０７】
ステップＳ１１６の大当り開放後処理は、特図プロセスフラグの値が“６”のときに実行される。この大当り開放後処理には、大入賞口を開放状態とするラウンド遊技の実行回数が所定の上限回数に達したか否かを判定する処理や、上限回数に達していない場合に次回のラウンド遊技が開始されるまで待機する処理などが含まれている。そして、次回のラウンド遊技が開始されるときには、特図プロセスフラグの値が“４”に更新される一方、ラウンド遊技の実行回数が上限回数に達したときには、特図プロセスフラグの値が“７”に更新される。
【０１０８】
ステップＳ１１７の大当り終了処理は、特図プロセスフラグの値が“７”のときに実行される。この大当り終了処理には、画像表示装置５やスピーカ８Ｌ、８Ｒ、遊技効果ランプ９などといった演出装置により、大当り遊技状態の終了を報知する演出動作としてのエンディング演出が実行される期間に対応した待ち時間が経過するまで待機する処理や、確変制御条件の成否に対応して確変状態や時短状態に制御するための各種の設定を行う処理などが含まれている。例えば、大当り種別が「確変」であるか「非確変」であるかに応じて、確変状態や時短状態に制御するための設定が行われる。その後、特図プロセスフラグの値が“０”に更新される。
【０１０９】
図６は、特別図柄通常処理として、図５のステップＳ１１０にて実行される処理の一例を示すフローチャートである。図６に示す特別図柄通常処理において、ＣＰＵ１０３は、まず、第２特図保留記憶数が「０」であるか否かを判定する（ステップＳ２３１）。第２特図保留記憶数は、第２特別図柄表示装置４Ｂによる第２特図を用いた特図ゲームの保留記憶数である。ＣＰＵ１０３は、第２保留記憶数カウント値を読み出し、その読出値が「０」であるか否かを判定すればよい。
【０１１０】
ステップＳ２３１にて第２特図保留記憶数が「０」以外であるときには（ステップＳ２３１；Ｎｏ）、例えば第２特図保留記憶部の先頭領域（例えば保留番号「１」に対応する記憶領域）といった、ＲＡＭ１０２の所定領域に記憶されている保留データとして、所定の乱数値を示す数値データを読み出す（ステップＳ２３２）。これにより、図５に示すステップＳ１０１の始動入賞判定処理で第２始動入賞口における始動入賞（第２始動入賞）の発生に対応して抽出された遊技用乱数が読み出される。このとき読み出された数値データは、例えば変動用乱数バッファなどに格納されて、一時記憶されればよい。
【０１１１】
ステップＳ２３２の処理に続いて、例えば第２保留記憶数カウント値を１減算して更新することなどにより、第２特図保留記憶数を１減算させるように更新するとともに、第２特図保留記憶部における記憶内容をシフトさせる（ステップＳ２３３）。例えば、第２特図保留記憶部にて保留番号「１」より下位の記憶領域（保留番号「２」〜「４」に対応する記憶領域）に記憶された保留データを、１エントリずつ上位にシフトする。また、ステップＳ２３３の処理では、合計保留記憶数を１減算するように更新してもよい。そして、ＲＡＭ１０２の所定領域（例えば遊技制御バッファ設定部）に設けられた変動特図指定バッファの格納値である変動特図指定バッファ値を、「２」に更新する（ステップＳ２３４）。
【０１１２】
ステップＳ２３１にて第２特図保留記憶数が「０」であるときには（ステップＳ２３１；Ｙｅｓ）、第１特図保留記憶数が「０」であるか否かを判定する（ステップＳ２３５）。第１特図保留記憶数は、第１特別図柄表示装置４Ａによる第１特図を用いた特図ゲームの保留記憶数である。ＣＰＵ１０３は、第１保留記憶数カウント値を読み出し、その読出値が「０」であるか否かを判定すればよい。このように、ステップＳ２３５の処理は、ステップＳ２３１にて第２特図保留記憶数が「０」であると判定されたときに実行されて、第１特図保留記憶数が「０」であるか否かを判定する。これにより、第２特図を用いた特図ゲームは、第１特図を用いた特図ゲームよりも優先して実行が開始されることになる。
【０１１３】
なお、第２特図を用いた特図ゲームが第１特図を用いた特図ゲームよりも優先して実行されるものに限定されない。すなわち、第１始動入賞口であるか第２始動入賞口であるかにかかわらず、遊技球が始動入賞口を通過（進入）した順番で、特図ゲームが実行されるようにしてもよい。この場合には、第１始動入賞口と第２始動入賞口のいずれを遊技球が通過（進入）したかを示す始動口データを、保留データとともに、あるいは保留データとは別個に、保留番号と対応付けてＲＡＭ１０２の所定領域に記憶させておき、それぞれの保留データに対応する特図ゲームについて、始動条件が成立した順番を特定可能にすればよい。
【０１１４】
ステップＳ２３５にて第１特図保留記憶数が「０」以外であるときには（ステップＳ２３５；Ｎｏ）、例えば第１特図保留記憶部の先頭領域（例えば保留番号「１」に対応する記憶領域）といった、ＲＡＭ１０２の所定領域に記憶されている保留データとして、所定の乱数値を示す数値データを読み出す（ステップＳ２３６）。これにより、図５に示すステップＳ１０１の始動入賞判定処理で第１始動入賞口における始動入賞（第１始動入賞）の発生に対応して抽出された遊技用乱数が読み出される。このとき読み出された数値データは、例えば変動用乱数バッファなどに格納されて、一時記憶されればよい。
【０１１５】
ステップＳ２３６の処理に続いて、例えば第１保留記憶数カウント値を１減算して更新することなどにより、第１特図保留記憶数を１減算させるように更新するとともに、第１特図保留記憶部における記憶内容をシフトさせる（ステップＳ２３７）。例えば、第１特図保留記憶部にて保留番号「１」より下位の記憶領域（保留番号「２」〜「４」に対応する記憶領域）に記憶された保留データを、１エントリずつ上位にシフトする。また、ステップＳ２３７の処理では、合計保留記憶数を１減算するように更新してもよい。そして、変動特図指定バッファ値を「１」に更新する（ステップＳ２３８）。
【０１１６】
ステップＳ２３４、Ｓ２３８の処理のいずれかを実行した後には、特別図柄の可変表示結果である特図表示結果を、「大当り」と「ハズレ」のいずれかに決定する（ステップＳ２３９）。一例として、ステップＳ２３９の処理では、予めＲＯＭ１０１の所定領域に記憶するなどして用意された特図表示結果決定テーブルを選択し、特図表示結果を決定するための使用テーブルに設定する。特図表示結果決定テーブルでは、特図表示結果決定用の乱数値ＭＲ１と比較される数値（決定値）が、特図表示結果を「大当り」と「ハズレ」のいずれとするかの決定結果に、割り当てられていればよい。ＣＰＵ１０３は、変動用乱数バッファから読み出した特図表示結果決定用の乱数値ＭＲ１を示す数値データに基づいて、特図表示結果決定テーブルを参照することにより、特図表示結果を決定すればよい。
【０１１７】
図７（Ａ）は、ステップＳ２３９の処理による特図表示結果の決定例を示している。このように、特図表示結果を「大当り」と「ハズレ」のいずれとするかが、特図表示結果決定用の乱数値ＭＲ１を示す数値データや特図表示結果決定テーブルを用いて、所定割合で決定されればよい。図７（Ａ）に示す決定例では、確変状態における確変制御の有無に応じて、特図表示結果を「大当り」とするか否かの決定割合を異ならせている。ＣＰＵ１０３は、ＲＡＭ１０２の所定領域（遊技制御フラグ設定部など）に設けられた確変フラグがオンである場合に、確変制御が行われていると判定すればよい。
【０１１８】
図７（Ａ）に示すように、確変状態にて確変制御が行われているときには、通常状態や時短状態にて確変制御が行われていないときよりも高い割合で、特図表示結果が「大当り」に決定される。したがって、例えば図５に示すステップＳ１１７の大当り終了処理により、大当り種別が「確変」であった場合に対応して確変フラグがオン状態にセットされたことなどに基づいて、確変制御が行われる確変状態であるときには、通常状態や時短状態にて確変制御が行われていないときよりも、特図表示結果が「大当り」になりやすく、大当り遊技状態になりやすい。
【０１１９】
この実施の形態では、第１特別図柄表示装置４Ａによる第１特図を用いた特図ゲームであるか、第２特別図柄表示装置４Ｂによる第２特図を用いた特図ゲームであるかにかかわらず、確変制御の有無に応じた所定割合で特図表示結果が決定される。これに対して、第１特別図柄表示装置４Ａによる特図ゲームの場合と、第２特別図柄表示装置４Ｂによる特図ゲームの場合のそれぞれに対応して、特図表示結果に対する決定値の割当てが異なる決定テーブルを用意してもよい。この場合には、第１特別図柄表示装置４Ａによる特図ゲームの場合と、第２特別図柄表示装置４Ｂによる特図ゲームの場合とでは、所定の特図表示結果に対する決定値の割当てを異ならせてもよい。
【０１２０】
その後、ＣＰＵ１０３は、ステップＳ２３９の処理により決定された特図表示結果が「大当り」であるか否かを判定する（ステップＳ２４０）。特図表示結果が「大当り」に決定された場合には（ステップＳ２４０；Ｙｅｓ）、ＲＡＭ１０２の所定領域（遊技制御フラグ設定部など）に設けられた大当りフラグをオン状態にセットする（ステップＳ２４１）。また、大当り種別を複数種類のいずれかに決定する（ステップＳ２４２）。一例として、ステップＳ２４２の処理では、予めＲＯＭ１０１の所定領域に記憶するなどして用意された大当り種別決定テーブルを選択し、大当り種別を決定するための使用テーブルに設定する。大当り種別決定テーブルでは、大当り種別決定用の乱数値と比較される数値（決定値）が、大当り種別を複数種類のいずれとするかの決定結果に、割り当てられていればよい。ＣＰＵ１０３は、変動用乱数バッファから読み出した大当り種別決定用の乱数値ＭＲ２を示す数値データに基づいて、大当り種別決定テーブルを参照することにより、大当り種別を決定すればよい。
【０１２１】
図７（Ｂ）は、ステップＳ２４２の処理による大当り種別の決定例を示している。この決定例では、変動特図が第１特図であるか第２特図であるかにかかわらず、所定割合で大当り種別が「非確変」と「確変」のいずれかに決定される。なお、変動特図が第１特図であるか第２特図であるかに応じて、決定可能な大当り種別を異ならせてもよいし、大当り種別の決定割合を異ならせてもよい。一例として、変動特図が第１特図である場合には所定割合で大当り種別が「突確」に決定可能とする一方、変動特図が第２特図である場合には大当り種別が「突確」には決定されないように設定してもよい。
【０１２２】
ステップＳ２４２の処理を実行した後には、大当り種別を記憶させる（ステップＳ２４３）。ＣＰＵ１０３は、ＲＡＭ１０２の所定領域（遊技制御バッファ設定部など）に設けられた大当り種別バッファに、大当り種別の決定結果を示すデータを格納することにより、大当り種別を記憶させればよい。
【０１２３】
ステップＳ２４０にて特図表示結果が「大当り」ではない場合や（ステップＳ２４０；Ｎｏ）、ステップＳ２４３の処理を実行した後には、特図ゲームにおける特別図柄の可変表示結果となる確定特別図柄を決定する（ステップＳ２４４）。一例として、ステップＳ２４０にて特図表示結果が「大当り」ではないと判定された場合には、ハズレ図柄として予め定められた「−」の記号を示す特別図柄を、確定特別図柄に決定する。一方、ステップＳ２４０にて特図表示結果が「大当り」であると判定された場合には、ステップＳ２４２における大当り種別の決定結果に応じて、複数種類の大当り図柄として予め定められた特別図柄のいずれかを確定特別図柄に決定すればよい。より具体的には、大当り種別が「非確変」の場合には「３」の数字を示す特別図柄を、確定特別図柄に決定すればよい。大当り種別が「確変」の場合には「７」の数字を示す特別図柄を、確定特別図柄に決定すればよい。
【０１２４】
ステップＳ２４４の処理を実行した後には、特図プロセスフラグの値を“１”に更新してから（ステップＳ２４５）、特別図柄通常処理を終了する。ステップＳ２４５の処理にて特図プロセスフラグの値が“１”に更新されることにより、次回のタイマ割込みが発生したときには、図５に示すステップＳ１１１の変動パターン設定処理が実行される。
【０１２５】
ステップＳ２３５にて第１特図を用いた特図ゲームの保留記憶数が「０」である場合には（ステップＳ２３５；Ｙｅｓ）、所定のデモ表示設定を行ってから（ステップＳ２４６）、特別図柄通常処理を終了する。このデモ表示設定では、例えば画像表示装置５において所定の演出画像を表示することなどによるデモンストレーション表示（デモ画面表示）を指定する演出制御コマンド（客待ちデモ指定コマンド）が、主基板１１から演出制御基板１２に対して送信済みであるか否かを判定する。このとき、送信済みであれば、そのままデモ表示設定を終了する。これに対して、未送信であれば、客待ちデモ指定コマンドを送信するための設定を行ってから、デモ表示設定を終了する。
【０１２６】
図８（Ａ）は、変動パターン設定処理として、図５のステップＳ１１１にて実行される処理の一例を示すフローチャートである。図８（Ａ）に示す変動パターン設定処理において、ＣＰＵ１０３は、まず、大当りフラグがオンであるか否かを判定する（ステップＳ２６１）。そして、大当りフラグがオンである場合には（ステップＳ２６１；Ｙｅｓ）、特図表示結果が「大当り」となる大当り時に対応した変動パターンを決定する（ステップＳ２６２）。一方、大当りフラグがオフである場合には（ステップＳ２６１；Ｎｏ）、特図表示結果が「ハズレ」となるハズレ時に対応した変動パターンを決定する（ステップＳ２６３）。
【０１２７】
図８（Ｂ）は、この実施の形態における変動パターンを示している。この実施の形態では、可変表示結果（特図表示結果）が「ハズレ」となる場合のうち、飾り図柄の可変表示態様がリーチ態様にはならない「非リーチ」である場合とリーチ態様になる「リーチ」である場合のそれぞれに対応して、また、可変表示結果（特図表示結果）が「大当り」となる場合などに対応して、複数の変動パターンが予め用意されている。
【０１２８】
図８（Ａ）に示すステップＳ２６２の処理では、例えば予めＲＯＭ１０１の所定領域に記憶するなどして用意された大当り変動パターン決定テーブルを用いて、大当り時の変動パターンが決定される。大当り変動パターン決定テーブルでは、大当り種別が「非確変」であるか「確変」であるかに応じて、変動パターン決定用の乱数値ＭＲ３と比較される数値（決定値）が、変動パターンの決定結果に、割り当てられていればよい。ＣＰＵ１０３は、変動用乱数バッファから読み出した変動パターン決定用の乱数値ＭＲ３を示す数値データに基づいて、大当り変動パターン決定テーブルを参照することにより、可変表示結果が「大当り」となる場合に対応した変動パターンを決定すればよい。
【０１２９】
図８（Ａ）に示すステップＳ２６３の処理では、遊技状態が通常状態である通常時の場合と、遊技状態が確変状態や時短状態で時短制御が行われる時短中の場合とに対応して、予め用意した複数のハズレ変動パターン決定テーブルのいずれかを用いて、ハズレ時の変動パターンが決定される。複数のハズレ変動パターン決定テーブルでは、通常時であるか時短中であるかや、合計保留記憶数に応じて、変動パターン決定用の乱数値ＭＲ３と比較される数値（決定値）が、変動パターンの決定結果に、割り当てられていればよい。ＣＰＵ１０３は、変動用乱数バッファから読み出した変動パターン決定用の乱数値ＭＲ３を示す数値データに基づいて、通常時と時短中とに応じたハズレ変動パターン決定テーブルのいずれかを参照することにより、可変表示結果が「ハズレ」となる場合に対応した変動パターンを決定すればよい。
【０１３０】
ハズレ変動パターン決定テーブルでは、合計保留記憶数が所定数（例えば「２」）以上であるときに、所定数未満であるときよりも高い割合で、飾り図柄の可変表示態様が「非リーチ」に決定されるように、決定値が割り当てられていればよい。このように、特図保留記憶数が所定数以上であるときには、所定数未満であるときよりも飾り図柄の可変表示態様がリーチ態様に決定されにくいように設定されていればよい。これにより、特図保留記憶数が比較的に多いときには、比較的に少ないときよりも平均的な可変表示時間を短縮して、無効な始動入賞の発生を抑制することや、遊技者による遊技球の発射停止（いわゆる「止め打ち」）を低減することができる。
【０１３１】
図９（Ａ）は、大当り時における変動パターンの決定例を示している。この決定例では、変動パターンＰＡ３−１、ＰＢ３−１といった、ノーマルのリーチ演出が実行される変動パターンの決定割合が、変動パターンＰＡ３−２、ＰＡ３−３、ＰＢ３−２、ＰＢ３−３といったスーパーリーチのリーチ演出が実行される変動パターンの決定割合よりも低くなるように設定されている。また、図９（Ａ）に示す決定例では、変動パターンＰＡ３−１、ＰＡ３−２、ＰＡ３−３といった、リーチ演出が実行される変動パターンの決定割合が、変動パターンＰＢ３−１、ＰＢ３−２、ＰＢ３−３といった、擬似連の可変表示演出が実行される変動パターンの決定割合よりも低くなるように設定されている。
【０１３２】
図９（Ｂ）は、ハズレ時における変動パターンの決定例を示している。この決定例では、変動パターンＰＡ２−１、ＰＢ３−１といった、ノーマルのリーチ演出が実行される変動パターンの決定割合が、変動パターンＰＡ２−２、ＰＡ２−３、ＰＢ２−２、ＰＢ２−３といったスーパーリーチのリーチ演出が実行される変動パターンの決定割合よりも高くなるように設定されている。図９（Ｂ）に示す決定例では、変動パターンＰＡ２−１、ＰＡ２−２、ＰＡ２−３といった、リーチ演出が実行される変動パターンの決定割合が、変動パターンＰＢ２−１、ＰＢ２−２、ＰＢ２−３といった、擬似連の可変表示演出が実行される変動パターンの決定割合よりも高くなるように設定されている。また、ハズレ時には、スーパーリーチのリーチ演出が実行される変動パターンの決定割合が、大当り時よりも低くなるように設定されている。これにより、スーパーリーチのリーチ演出が実行されてから可変表示結果が導出されるときには、その可変表示結果が「大当り」となる可能性（大当り期待度）が高められる。
【０１３３】
図９（Ｂ）に示す決定例において、スーパーＡのリーチ演出が実行されて可変表示結果が導出される変動パターンＰＡ２−２、ＰＢ２−２の決定割合は、スーパーＢのリーチ演出が実行されて可変表示結果が導出される変動パターンＰＡ２−３、ＰＢ２−３の決定割合よりも高くなるように設定されている。これに対して、図９（Ａ）に示す決定例において、変動パターンＰＡ３−２、ＰＢ３−２の決定割合が変動パターンＰＡ３−３、ＰＢ３−３の決定割合よりも低くなるように設定されている。また、大当り時には、スーパーＢのリーチ演出が実行される変動パターンの決定割合が、ハズレ時よりも十分に高くなるように設定されている。したがって、可変表示結果が「大当り」となって遊技状態が大当り遊技状態となる場合には、大当り遊技状態とならない場合よりも高い割合で、スーパーＢのリーチ演出が実行されてから可変表示結果が導出される。
【０１３４】
図８（Ｂ）に示すように、変動パターンＰＡ２−１〜ＰＡ２−３及びＰＢ２−１〜ＰＢ２−３と、変動パターンＰＡ３−１〜ＰＡ３−３及びＰＢ３−１〜ＰＢ３−３とでは、特図変動時間や内容が共通している一方で、可変表示結果が「ハズレ」となるか「大当り」となるかが異なっている。図９（Ａ）および（Ｂ）に示す決定割合の設定により、スーパーリーチのリーチ演出が実行されたときには、ノーマルのリーチ演出が実行されたときよりも大当り期待度が高められる。スーパーＢのリーチ演出が実行されたときには、スーパーＡのリーチ演出が実行されたときよりも大当り期待度が高められる。また、擬似連の可変表示演出が実行されたときには、擬似連の可変表示演出が実行されないときよりも大当り期待度が高められる。
【０１３５】
ステップＳ２６２、Ｓ２６３の処理のいずれかを実行した後には、特別図柄の可変表示時間である特図変動時間を設定する（ステップＳ２６４）。特別図柄の可変表示時間となる特図変動時間は、特図ゲームにおいて特別図柄の変動を開始してから可変表示結果（特図表示結果）となる確定特別図柄が導出表示されるまでの所要時間である。特図変動時間は、図８（Ｂ）に示すように、予め用意された複数の変動パターンに対応して、予め定められている。ＣＰＵ１０３は、特図変動時間を設定することにより、特別図柄や飾り図柄の可変表示結果が導出されるタイミングを設定できる。
【０１３６】
ステップＳ２６４の処理に続いて、第１特別図柄表示装置４Ａにおける第１特図を用いた特図ゲームと、第２特別図柄表示装置４Ｂにおける第２特図を用いた特図ゲームのうち、開始条件が成立したいずれかの特図ゲームを開始させるように、特別図柄の変動を開始させるための設定を行う（ステップＳ２６５）。一例として、変動特図指定バッファ値が「１」であれば、第１特別図柄表示装置４Ａにおける第１特図の表示を更新させる駆動信号を送信するための設定を行う。一方、変動特図指定バッファ値が「２」であれば、第２特別図柄表示装置４Ｂにおける第２特図の表示を更新させる駆動信号を送信するための設定を行う。
【０１３７】
ステップＳ２６５の処理を実行した後には、特別図柄の変動開始時におけるコマンドの送信設定が行われる（ステップＳ２６６）。例えば、変動特図指定バッファ値が「１」である場合に、ＣＰＵ１０３は、主基板１１から演出制御基板１２に対して第１変動開始コマンド、変動パターン指定コマンド、可変表示結果通知コマンド、第１保留記憶数通知コマンドを順次に送信するために、予め用意された第１変動開始用コマンドテーブルのＲＯＭ１０１における記憶アドレス（先頭アドレス）を指定する。他方、変動特図指定バッファ値が「２」である場合に、ＣＰＵ１０３は、主基板１１から演出制御基板１２に対して第２変動開始コマンド、変動パターン指定コマンド、可変表示結果通知コマンド、第２保留記憶数通知コマンドを順次に送信するために、予め用意された第２変動開始用コマンドテーブルのＲＯＭ１０１における記憶アドレスを指定する。
【０１３８】
第１変動開始コマンドや第２変動開始コマンドは、第１特別図柄表示装置４Ａにおける第１特図を用いた特図ゲームにおける変動開始や、第２特別図柄表示装置４Ｂにおける第２特図を用いた特図ゲームにおける変動開始を、指定する演出制御コマンドである。変動パターン指定コマンドは、特図ゲームにおける特別図柄の可変表示に対応して画像表示装置５における「左」、「中」、「右」の各飾り図柄表示エリア５Ｌ、５Ｃ、５Ｒで可変表示される飾り図柄などの変動パターンを指定する演出制御コマンドである。可変表示結果通知コマンドは、特別図柄や飾り図柄などの可変表示結果を指定する演出制御コマンドである。
【０１３９】
ステップＳ２６６の処理を実行した後には、特図プロセスフラグの値を“２”に更新してから（ステップＳ２６７）、変動パターン設定処理を終了する。ステップＳ２６７にて特図プロセスフラグの値が“２”に更新されることにより、次回のタイマ割込みが発生したときには、図５に示すステップＳ１１２の特別図柄変動処理が実行される。
【０１４０】
次に、演出制御基板１２における動作を説明する。
【０１４１】
演出制御基板１２では、電源基板等から電源電圧の供給を受けると、演出制御用ＣＰＵ１２０が起動して、所定の演出制御メイン処理を実行する。演出制御メイン処理において、演出制御用ＣＰＵ１２０は、まず、所定の初期化処理を実行して、ＲＡＭ１２２のクリアや各種初期値の設定、また演出制御基板１２に搭載されたＣＴＣ（カウンタ／タイマ回路）のレジスタ設定等を行う。その後、タイマ割込みフラグがオンとなっているか否かの判定を行う。タイマ割込みフラグは、例えばＣＴＣのレジスタ設定に基づき、所定時間（例えば２ミリ秒）が経過するごとにオン状態にセットされる。このとき、タイマ割込みフラグがオフであれば、待機する。
【０１４２】
また、演出制御基板１２の側では、所定時間が経過するごとに発生するタイマ割込みとは別に、主基板１１から演出制御コマンドを受信するための割込みが発生する。この割込みは、例えば主基板１１からの演出制御ＩＮＴ信号がオン状態となることにより発生する割込みである。演出制御ＩＮＴ信号がオン状態となることによる割込みが発生すると、演出制御用ＣＰＵ１２０は、自動的に割込み禁止に設定するが、自動的に割込み禁止状態にならないＣＰＵを用いている場合には、割込み禁止命令（ＤＩ命令）を発行することが望ましい。演出制御用ＣＰＵ１２０は、演出制御ＩＮＴ信号がオン状態となることによる割込みに対応して、例えば所定のコマンド受信割込み処理を実行する。このコマンド受信割込み処理では、Ｉ／Ｏ１２５に含まれる入力ポートのうちで、中継基板１５を介して主基板１１から送信された制御信号を受信する所定の入力ポートより、演出制御コマンドとなる制御信号を取り込む。このとき取り込まれた演出制御コマンドは、例えばＲＡＭ１２２に設けられた演出制御コマンド受信用バッファに格納する。その後、演出制御用ＣＰＵ１２０は、割込み許可に設定してから、コマンド受信割込み処理を終了する。
【０１４３】
タイマ割込みフラグがオンである場合には、タイマ割込みフラグをクリアしてオフ状態にするとともに、コマンド解析処理を実行する。コマンド解析処理では、例えば主基板１１の遊技制御用マイクロコンピュータ１００から送信されて演出制御コマンド受信用バッファに格納されている各種の演出制御コマンドを読み出した後に、その読み出された演出制御コマンドに対応した設定や制御などが行われる。
【０１４４】
コマンド解析処理を実行した後には、演出制御プロセス処理を実行する。演出制御プロセス処理では、例えば画像表示装置５の表示領域における演出画像の表示動作、スピーカ８Ｌ、８Ｒからの音声出力動作、遊技効果ランプ９および装飾用ＬＥＤなどの発光体における点灯動作といった、各種の演出装置を用いた演出動作の制御内容について、主基板１１から送信された演出制御コマンド等に応じた判定や決定、設定などが行われる。演出制御プロセス処理に続いて、演出用乱数更新処理が実行され、演出制御に用いる各種の乱数値として、ＲＡＭ１２２のランダムカウンタによってカウントされる演出用乱数を示す数値データを、ソフトウェアにより更新する。
【０１４５】
図１０は、演出制御プロセス処理の一例を示すフローチャートである。図１０に示す演出制御プロセス処理において、演出制御用ＣＰＵ１２０は、ＲＡＭ１２２の所定領域（例えば演出制御フラグ設定部）に設けられた演出プロセスフラグの値に応じて、以下のようなステップＳ１７０〜Ｓ１７６の処理のいずれかを選択して実行する。
【０１４６】
ステップＳ１７０の可変表示開始待ち処理は、演出プロセスフラグの値が“０”のときに実行される処理である。この可変表示開始待ち処理は、主基板１１から伝送される第１変動開始コマンドあるいは第２変動開始コマンドなどを受信したか否かに基づき、画像表示装置５の画面上における飾り図柄の可変表示を開始するか否かを判定する処理などを含んでいる。第１変動開始コマンドは、第１特別図柄表示装置４Ａによる第１特図を用いた特図ゲームが開始されることを通知する演出制御コマンドである。第２変動開始コマンドは、第２特別図柄表示装置４Ｂによる第２特図を用いた特図ゲームが開始されることを通知する演出制御コマンドである。このような第１変動開始コマンドまたは第２変動開始コマンドのいずれかを受信したときには、演出プロセスフラグの値が“１”に更新される。
【０１４７】
ステップＳ１７１の可変表示開始設定処理は、演出プロセスフラグの値が“１”のときに実行される処理である。この可変表示開始設定処理は、第１特別図柄表示装置４Ａや第２特別図柄表示装置４Ｂによる特図ゲームにおいて特別図柄の可変表示が開始されることに対応して、画像表示装置５の画面上における飾り図柄の可変表示や、その他の各種演出動作を行うために、特別図柄の変動パターンや表示結果の種類などに応じた確定飾り図柄や各種の演出制御パターンを決定する処理などを含んでいる。可変表示開始設定処理が実行されたときには、演出プロセスフラグの値が“２”に更新される。
【０１４８】
ステップＳ１７２の可変表示中演出処理は、演出プロセスフラグの値が“２”のときに実行される処理である。この可変表示中演出処理において、演出制御用ＣＰＵ１２０は、ＲＡＭ１２２の所定領域（演出制御タイマ設定部など）に設けられた演出制御プロセスタイマにおけるタイマ値に対応して、演出制御パターンから各種の制御データを読み出し、飾り図柄の可変表示中における各種の演出制御を行うための処理が含まれている。また、可変表示中演出処理には、主基板１１から伝送される図柄確定コマンドを受信したことなどに対応して、飾り図柄の可変表示結果となる最終停止図柄としての確定飾り図柄を完全停止表示（導出表示）させる処理が含まれている。なお、所定の演出制御パターンから終了コードが読み出されたことに対応して、確定飾り図柄を完全停止表示（導出表示）させるようにしてもよい。この場合には、変動パターン指定コマンドにより指定された変動パターンに対応する可変表示時間が経過したときに、主基板１１からの演出制御コマンドによらなくても、演出制御基板１２の側で自律的に確定飾り図柄を導出表示して可変表示結果を確定させることができる。こうした演出制御などを行った後に、演出プロセスフラグの値が“３”に更新される。
【０１４９】
ステップＳ１７３の可変表示停止処理は、演出プロセスフラグの値が“３”のときに実行される処理である。可変表示停止処理は、可変表示結果通知コマンドにより通知された可変表示結果や、主基板１１から伝送された大当り開始指定コマンドを受信したか否かの判定結果などに基づいて、大当り遊技状態が開始されるか否かを判定する処理を含んでいる。そして、可変表示結果が「大当り」に対応して大当り遊技状態が開始される場合には、演出プロセスフラグの値が“４”に更新される一方で、可変表示結果が「ハズレ」に対応して大当り遊技状態が開始されない場合には、演出プロセスフラグがクリアされて、その値が“０”に初期化される。
【０１５０】
ステップＳ１７４の大当り表示処理は、演出プロセスフラグの値が“４”のときに実行される処理である。この大当り表示処理は、主基板１１から伝送された大当り開始指定コマンドを受信したことなどに基づいて、大当り遊技状態の開始を報知する大当り報知演出（ファンファーレ演出）を実行するための処理を含んでいる。そして、大当り報知演出の実行が終了するときには、演出プロセスフラグの値が“５”に更新される。
【０１５１】
ステップＳ１７５の大当り中演出処理は、演出プロセスフラグの値が“５”のときに実行される処理である。この大当り中演出処理において、演出制御用ＣＰＵ１２０は、例えば大当り遊技状態における演出内容に対応した演出制御パターン等を設定し、その設定内容に基づく演出画像を画像表示装置５の画面上に表示させることや、音声制御基板１３に対する指令（効果音信号）の出力によりスピーカ８Ｌ、８Ｒから音声や効果音を出力させること、ランプ制御基板１４に対する指令（電飾信号）の出力により遊技効果ランプ９や装飾用ＬＥＤを点灯／消灯／点滅させることといった、大当り遊技状態における各種の演出制御を実行する。また、大当り中演出処理では、例えば主基板１１から伝送される大当り終了指定コマンドを受信したことなどに対応して、演出制御プロセスフラグの値が“６”に更新される。
【０１５２】
ステップＳ１７６の大当り終了演出処理は、演出プロセスフラグの値が“６”のときに実行される処理である。この大当り終了演出処理において、演出制御用ＣＰＵ１２０は、例えば大当り遊技状態の終了などに対応した演出制御パターン等を設定し、その設定内容に基づく演出画像を画像表示装置５の画面上に表示させることや、音声制御基板１３に対する指令（効果音信号）の出力によりスピーカ８Ｌ、８Ｒから音声や効果音を出力させること、ランプ制御基板１４に対する指令（電飾信号）の出力により遊技効果ランプ９や装飾用ＬＥＤを点灯／消灯／点滅させることといった、大当り遊技状態の終了時における各種の演出制御を実行する。その後、演出プロセスフラグをクリアして、その値を“０”に初期化する。
【０１５３】
図１１は、可変表示開始設定処理として、図１０のステップＳ１７１にて実行される処理の一例を示すフローチャートである。図１１に示す可変表示開始設定処理において、演出制御用ＣＰＵ１２０は、まず、例えば主基板１１から伝送された可変表示結果通知コマンドなどに基づいて、特図表示結果が「ハズレ」となるか否かを判定する（ステップＳ４２１）。特図表示結果が「ハズレ」となる旨の判定がなされたときには（ステップＳ４２１；Ｙｅｓ）、例えば主基板１１から伝送された変動パターン指定コマンドにより指定された変動パターンが、飾り図柄の可変表示態様をリーチ態様としない「非リーチ」の場合に対応した非リーチ変動パターンであるか否かを判定する（ステップＳ４２２）。
【０１５４】
ステップＳ４２２にて非リーチ変動パターンであると判定された場合には（ステップＳ４２２；Ｙｅｓ）、非リーチ組合せを構成する最終停止図柄となる確定飾り図柄の組合せを決定する（ステップＳ４２３）。一例として、ステップＳ４２３の処理では、まず、乱数回路１２４またはＲＡＭ１２２の所定領域（例えば演出制御カウンタ設定部）に設けられた演出用ランダムカウンタ等により更新される左確定図柄決定用の乱数値を示す数値データを抽出し、ＲＯＭ１２１に予め記憶されて用意された左確定図柄決定テーブルを参照することなどにより、確定飾り図柄のうち画像表示装置５の表示領域における「左」の飾り図柄表示エリア５Ｌに停止表示される左確定飾り図柄を決定する。次に、乱数回路１２４または演出用ランダムカウンタ等により更新される右確定図柄決定用の乱数値を示す数値データを抽出し、ＲＯＭ１２１に予め記憶されて用意された右確定図柄決定テーブルを参照することなどにより、確定飾り図柄のうち画像表示装置５の表示領域における「右」の飾り図柄表示エリア５Ｒに停止表示される右確定飾り図柄を決定する。このときには、右確定図柄決定テーブルにおける設定などにより、左確定飾り図柄との組合せで有効ライン上に、リーチや各種チャンス目の一部を構成しないような右確定飾り図柄を決定すればよい。続いて、乱数回路１２４または演出用ランダムカウンタ等により更新される中確定図柄決定用の乱数値を示す数値データを抽出し、ＲＯＭ１２１に予め記憶されて用意された中確定図柄決定テーブルを参照することなどにより、確定飾り図柄のうち画像表示装置５の表示領域における「中」の飾り図柄表示エリア５Ｃに停止表示される中確定飾り図柄を決定する。
【０１５５】
なお、ステップＳ４２３の処理において、遊技状態（確変状態であるか否かなど）に応じて、確定飾り図柄の決定割合を異ならせてもよい。例えば、遊技状態が確変状態である場合には、中段の有効ラインＬ１に英数字の飾り図柄が停止する非リーチ組合せの最終停止図柄を決定してもよく、中段の有効ラインＬ１に英数字の飾り図柄が停止する非リーチ組合せの最終停止図柄を決定しやすくしてもよい。
【０１５６】
ステップＳ４２２にて非リーチ変動パターンではないと判定された場合には（ステップＳ４２２；Ｎｏ）、リーチハズレ組合せを構成する最終停止図柄となる確定飾り図柄の組合せを決定する（ステップＳ４２４）。一例として、ステップＳ４２４の処理では、まず、乱数回路１２４または演出用ランダムカウンタ等により更新される左右確定図柄決定用の乱数値を示す数値データを抽出し、ＲＯＭ１２１に予め記憶されて用意された左右確定図柄決定テーブルを参照することなどにより、確定飾り図柄のうち画像表示装置５の表示領域における「左」と「右」の飾り図柄表示エリア５Ｌ、５Ｒにて揃って停止表示される飾り図柄を決定する。左右確定図柄決定テーブルでは、５つの有効ライン（中段ラインＬ１、上段ラインＬ２、下段ラインＬ３、右下がりラインＬ４及び左下がりラインＬ５）のいずれでリーチとするかに応じて複数種類のリーチハズレ停止パターンが設けられていればよい。なお、右下がりラインＬ４または左下がりラインＬ５においてリーチとした場合には、図３に示すような左図柄、右図柄の構成上、右下がりラインＬ４及び左下がりラインＬ５においてリーチとなる。このように、右下がりラインＬ４及び左下がりラインＬ５においてリーチとなる場合をＷリーチ（ダブルリーチ）ともいう。
【０１５７】
なお、ステップＳ４２４の処理において、遊技状態（確変状態であるか否かなど）に応じて、確定飾り図柄の決定割合を異ならせてもよい。例えば、遊技状態が確変状態である場合には、中段ラインＬ１においてリーチとなるリーチハズレ停止パターン（中段リーチハズレ停止パターン）のうちいずれかに決定すればよい。また、遊技状態が確変状態でない場合（非確変状態である場合）には、全てのリーチハズレ停止パターンのうちいずれかに決定すればよい。遊技状態が確変状態であるか否かは、主基板１１から送信される遊技状態指定コマンドから特定すればよい。このようにすることで、確変状態においては、シンプルに大当りとなるかを煽る一方、非確変状態では、多彩なリーチが実行されるので、遊技の興趣が向上する。
【０１５８】
なお、確変状態において必ず中段リーチハズレ停止パターンに決定されるのではなく、高い割合で中段リーチハズレ停止パターンに決定されるようにしてもよい。例えば、上段リーチハズレ停止パターン、下段リーチハズレ停止パターン、Ｗリーチハズレ停止パターンに決定されることがあるようにしてもよい。また、リーチの種類（ノーマルリーチ、スーパーリーチ）に応じて、いずれの有効ラインでリーチとするかの決定割合を異ならせてもよい。例えば、大当り信頼度の高いリーチほど、中段ラインＬ１においてリーチとなりやすくしてもよい。
【０１５９】
また、ステップＳ４２４の処理では、飾り図柄表示エリア５Ｌ、５Ｒそれぞれに停止させる飾り図柄が対応付けられた停止パターンを決定することで、リーチハズレ組合せの最終停止図柄を決定するのではなく、左図柄停止パターン、右図柄停止パターンをそれぞれ決定することにより、リーチハズレ組合せの最終停止図柄を決定するようにしてもよい。例えば、まず左図柄停止パターンを決定して、その左図柄停止パターンとの組合せでリーチを構成する右図柄停止パターンを決定するようにしてもよい。
【０１６０】
ステップＳ４２４の処理では、さらに、乱数回路１２４または演出用ランダムカウンタ等により更新される中確定図柄決定用の乱数値を示す数値データを抽出し、ＲＯＭ１２１に予め記憶されて用意された中確定図柄決定テーブルを参照することなどにより、確定飾り図柄のうち画像表示装置５の表示領域における「中」の飾り図柄表示エリア５Ｃにて停止表示される中確定飾り図柄を決定する。ここで、例えば有効ライン上において確定飾り図柄が大当り組合せとなってしまう場合には、任意の値（例えば「１」）を中確定飾り図柄の図柄番号に加算または減算することなどにより、確定飾り図柄が大当り組合せとはならずにリーチ組合せとなるようにすればよい。あるいは、中確定飾り図柄を決定するときには、左確定飾り図柄及び右確定飾り図柄の図柄番号との差分（図柄差）を決定し、その図柄差に対応する中確定飾り図柄を設定してもよい。
【０１６１】
なお、ステップＳ４２４の処理において、飾り図柄表示エリア５Ｌ、５Ｃ、５Ｒそれぞれに停止させる飾り図柄が対応付けられた停止パターンを決定することで、リーチハズレ組合せの最終停止図柄を一度に決定してもよい。
【０１６２】
ステップＳ４２１にて特図表示結果が「ハズレ」ではないと判定されたときには（ステップＳ４２１；Ｎｏ）、大当り組合せを構成する最終停止図柄となる確定飾り図柄の組合せを決定する（ステップＳ４２５）。一例として、ステップＳ４２５の処理では、まず、乱数回路１２４または演出用ランダムカウンタ等により更新される大当り確定図柄決定用の乱数値を示す数値データを抽出する。続いて、例えば主基板１１から伝送された表示結果指定コマンドによって特定される大当り種別に応じて、ＲＯＭ１２１に予め記憶されて用意された大当り確定図柄決定テーブルを参照することなどにより、画像表示装置５の有効ラインに揃って停止表示される英数字が同一の飾り図柄を決定する。
【０１６３】
なお、ステップＳ４２５において、遊技状態が確変状態であるか否かや大当り種別が「確変」か「非確変」かに応じて、大当り停止パターンの決定割合を異ならせてもよい。例えば、大当り種別が「確変」である場合であって、遊技状態が確変状態である場合には、中段ラインＬ１において奇数の英数字の大当り組合せ（確変大当り組合せ）となる大当り停止パターン（中段大当り停止パターン）のうちいずれかに決定すればよい。また、遊技状態が確変状態でない場合（非確変状態である場合）には、奇数の英数字の大当り組合せ（確変大当り組合せ）となる全ての大当り停止パターンのうちいずれかに決定すればよい。なお、遊技状態が確変状態であるか否かは、主基板１１から送信される遊技状態指定コマンドから特定すればよい。
【０１６４】
大当り種別が「非確変」である場合であって、遊技状態が確変状態である場合には、中段ラインＬ１において偶数の英数字の大当り組合せ（非確変大当り組合せ）となる大当り停止パターン（中段大当り停止パターン）のうちいずれかに決定すればよい。また、遊技状態が確変状態でない場合（非確変状態である場合）には、偶数の英数字の大当り組合せ（非確変大当り組合せ）となる全ての大当り停止パターンのうちいずれかに決定すればよい。このようにすることで、確変状態においては、シンプルに大当りとなるかを煽る一方、非確変状態では、多彩なリーチが実行されるので、遊技の興趣が向上する。
【０１６５】
なお、確変状態において必ず中段大当り停止パターンに決定されるのではなく、高い割合で中段大当り停止パターンに決定されるようにしてもよい。例えば、上段大当り停止パターンや下段大当り停止パターンに決定されることがあるようにしてもよい。
【０１６６】
また、ステップＳ４２５の処理では、飾り図柄表示エリア５Ｌ、５Ｃ、５Ｒそれぞれに停止させる飾り図柄が対応付けられた停止パターンを決定することで、大当り組合せの最終停止図柄を一度に決定するのではなく、左図柄停止パターン、中図柄停止パターン、右図柄停止パターンをそれぞれ決定することにより、大当り組合せの最終停止図柄を決定するようにしてもよい。例えば、まず左図柄停止パターンを決定して、その左図柄停止パターンとの組合せでリーチを構成する右図柄停止パターンを決定し、最後に大当り組合せとなる中図柄停止パターンを決定するようにしてもよい。
【０１６７】
ステップＳ４２３、Ｓ４２４、Ｓ４２５のあと、演出制御用ＣＰＵ１２０は、擬似連決定処理を実行する（ステップＳ４２６）。ステップＳ４２６では、擬似連の可変表示演出を実行するための設定を行う。
【０１６８】
図１２は、擬似連決定処理の一例を示すフローチャートである。図１２に示す擬似連決定処理において、演出制御用ＣＰＵ１２０は、変動パターン指定コマンドにより指定された変動パターンを特定する（ステップＳ５０１）。続いて、演出制御用ＣＰＵ１２０は、特定した変動パターンに基づいて、擬似連があるか否かを判定する（ステップＳ５０２）。ステップＳ５０２では、演出制御用ＣＰＵ１２０は、ステップＳ５０１にて特定した変動パターンが、変動パターンＰＢ１−３、ＰＢ２−１〜ＰＢ２−３、及び、ＰＢ３−１〜ＰＢ３−３のうちのいずれかである場合に、擬似連ありと判定すればよい。ステップＳ５０２にて擬似連ありと判定された場合（ステップＳ５０２；Ｙｅｓ）、演出制御用ＣＰＵ１２０は、擬似連チャンス目停止パターンを決定する（ステップＳ５０３）。
【０１６９】
ステップＳ５０３では、一例として、演出制御用ＣＰＵ１２０は、乱数回路１２４または演出用ランダムカウンタ等により更新される擬似連チャンス目停止パターン決定用の乱数値ＳＲ１（例えば、「１」〜「１６０」の範囲の値を取り得る。）を示す数値データを抽出する。続いて、ＲＯＭ１２１に予め記憶されて用意された擬似連チャンス目停止パターン決定テーブルを参照することなどにより、複数の擬似連チャンス目停止パターンのうちのいずれにするかを決定すればよい。なお、再変動が複数回である場合、ステップＳ５０３において、擬似連チャンス目停止パターンを、乱数値ＳＲ１とは異なる乱数値を用いて再変動の回数分決定してもよい。
【０１７０】
図１３は、擬似連チャンス目停止パターン決定テーブルの構成例を示している。図１３に示す擬似連チャンス目停止パターン決定テーブルでは、擬似連チャンス目停止パターン決定用の乱数値ＳＲ１と比較される数値（決定値）が、擬似連チャンス目停止パターンＴＰ１０１〜ＴＰ１０８及びＴＰ１１１〜ＴＰ１１８のいずれかの決定結果に割り当てられていればよい。この実施の形態では、一例として、擬似連チャンス目停止パターンＴＰ１０１〜ＴＰ１０８及びＴＰ１１１〜ＴＰ１１８の決定割合は、均等となるように設定されている。なお、この決定割合は、異なるように設定されてもよい。例えば、全て「７」の英数字で構成された特定の擬似連チャンス目となる飾り図柄が仮停止表示された場合に、可変表示結果が「大当り」となる可能性（大当り期待度）が高いこと、または、可変表示結果が「大当り」となることが示唆できるように、可変表示結果が「大当り」であるか「ハズレ」であるかに応じて、決定割合を設定してもよい。このようにすることで、いずれの英数字で構成される擬似連チャンス目が停止したかに遊技者を注目させることができ、遊技の興趣を向上させることができる。
【０１７１】
この実施の形態では、図１３に示すように、「チャンス目Ａ」及び「チャンス目Ｂ」といった２種類の擬似連チャンス目が設けられている。「チャンス目Ａ」には、擬似連チャンス目停止パターンＴＰ１０１〜ＴＰ１０８が設定されている。また、「チャンス目Ｂ」には、擬似連チャンス目停止パターンＴＰ１１１〜ＴＰ１１８が設定されている。図１４は、擬似連チャンス目停止パターンの一例を示している。図１４（Ａ）に示すように、「チャンス目Ａ」では、中段の左図柄、中段の中図柄、及び、下段の右図柄が同じ英数字となる飾り図柄の組合せとなっている。また、図１４（Ｂ）に示すように、「チャンス目Ｂ」では、中段の左図柄、中段の中図柄、及び、上段の右図柄が同じ英数字となる飾り図柄の組合せとなっている。
【０１７２】
図１２に示すステップＳ５０３の処理を実行した後、演出制御用ＣＰＵ１２０は、ブランク図柄変化演出の実行を決定する（ステップＳ５０４）。ステップＳ５０４では、一例として、演出制御用ＣＰＵ１２０は、ブランク図柄変化演出の実行を決定するための使用テーブルとして、予めＲＯＭ１２１の所定領域に記憶するなどして用意されたブランク図柄変化演出実行決定テーブルを選択してセットする。ブランク図柄変化演出実行決定テーブルでは、例えば、主基板１１から伝送された可変表示結果通知コマンドなどにより特定される可変表示結果が「大当り」であるか「ハズレ」であるかに応じて、ブランク図柄変化演出決定用の乱数値ＳＲ２と比較される数値（決定値）が、ブランク図柄変化演出を実行する「実行あり」、ブランク図柄変化演出を実行しない「実行なし」のいずれかの決定結果に割り当てられていればよい。演出制御用ＣＰＵ１２０は、例えば乱数回路１２４やＲＡＭ１２２の所定領域（演出制御カウンタ設定部など）に設けられた演出用ランダムカウンタなどから抽出したブランク図柄変化演出決定用の乱数値ＳＲ２を示す数値データに基づいて、ブランク図柄変化演出実行決定テーブルを参照することにより、ブランク図柄変化演出の実行の有無を決定すればよい。
【０１７３】
図１５は、ブランク図柄変化演出実行決定テーブルの構成例を示している。図１５に示すブランク図柄変化演出実行決定テーブルでは、例えば、乱数値ＳＲ２と比較される数値（決定値）が、可変表示結果が「大当り」であるか「ハズレ」であるかに応じて、ブランク図柄変化演出を実行する「実行あり」、又は、ブランク図柄変化演出を実行しない「実行なし」に、割り当てられている。この実施の形態では、例えば、可変表示結果が「大当り」である場合、可変表示結果が「ハズレ」である場合と比べて高い割合で、ブランク図柄変化演出を実行する「実行あり」に決定される。
【０１７４】
なお、例えば、可変表示結果が「大当り」である場合に、必ず「実行あり」に決定されてもよい。このように、「可変表示結果が「大当り」である場合、可変表示結果が「ハズレ」である場合と比べて高い割合で」には、可変表示結果が「大当り」のときにブランク図柄変化演出を実行する割合と、可変表示結果が「ハズレ」のときにブランク図柄変化演出を実行する割合とを、７割と３割とにする場合や８割と２割とにする場合の他、１０割と０割とにする場合などを含む。これらは、テーブルの決定割合などで実現すればよい。
【０１７５】
図１２に示すステップＳ５０４の処理を実行した後、演出制御用ＣＰＵ１２０は、ブランク図柄変化演出の実行があるか否かを判定する（ステップＳ５０５）。ステップＳ５０５にてブランク図柄変化演出の実行ありと判定された場合（ステップＳ５０５；Ｙｅｓ）、演出制御用ＣＰＵ１２０は、ブランク図柄変化前停止パターン、及び、ブランク図柄の変化態様を決定する（ステップＳ５０６）。ステップＳ５０６では、一例として、演出制御用ＣＰＵ１２０は、ブランク図柄変化前停止パターン、及び、ブランク図柄の変化態様を決定するための使用テーブルとして、予めＲＯＭ１２１の所定領域に記憶するなどして用意されたブランク図柄変化前停止パターン設定テーブルを選択してセットする。ブランク図柄変化前停止パターン設定テーブルでは、ステップＳ５０３にて決定された決定結果（擬似連チャンス目停止パターンの決定結果）に、ブランク図柄変化前停止パターン、及び、ブランク図柄の変化態様が対応付けられていればよい。演出制御用ＣＰＵ１２０は、例えばステップＳ５０３の決定結果に基づいて、ブランク図柄変化前停止パターン設定テーブルを参照することにより、ブランク図柄変化前停止パターン、及び、ブランク図柄の変化態様を決定すればよい。
【０１７６】
図１６は、ブランク図柄変化前停止パターン決定テーブルの構成例を示している。図１６に示すブランク図柄変化前停止パターン決定テーブルでは、ステップＳ５０３での決定結果（擬似連チャンス目停止パターンＴＰ１０１〜ＴＰ１０８、ＴＰ１１１〜ＴＰ１１８）と、ブランク図柄変化前停止パターンＴＰ２０１〜ＴＰ２０８、ＴＰ２１１〜ＴＰ２１８と、が一対一で対応付けられている。ブランク図柄変化前停止パターンＴＰ２０１〜ＴＰ２０８は、「チャンス目Ａ」の擬似連チャンス目停止パターンＴＰ１０１〜ＴＰ１０８に対応している。ブランク図柄変化前停止パターンＴＰ２１１〜ＴＰ２１８は、「チャンス目Ｂ」の擬似連チャンス目停止パターンＴＰ１１１〜ＴＰ１１８に対応している。また、ブランク図柄変化前停止パターンＴＰ２０１〜ＴＰ２０８には、ブランク図柄の変化態様Ａが設定され、ブランク図柄変化前停止パターンＴＰ２１１〜ＴＰ２１８には、ブランク図柄の変化態様Ｂが設定されている。
【０１７７】
図１７は、ブランク図柄変化前停止パターンの一例を示している。図１７（Ａ）に示すように、ブランク図柄変化前停止パターンＴＰ２０１〜ＴＰ２０８は、中段の有効ライン上において、左図柄と中図柄とが、同じ英数字（例えば、「２」）であり、右図柄が、左図柄の英数字に１加算した英数字（例えば、「３」）である停止パターンとなっている。また、図１７（Ｂ）に示すように、ブランク図柄変化前停止パターンＴＰ２１１〜ＴＰ２１８は、中段の有効ライン上において、左図柄と中図柄とが、同じ英数字（例えば、「３」）であり、右図柄が、左図柄の英数字に１減算した英数字（例えば、「２」）である停止パターンとなっている。
【０１７８】
ブランク図柄の変化態様Ａは、一例として、飾り図柄表示エリア５Ｒ−３のブランク図柄が擬似連チャンス目を構成する英数字へ変化し、かつ、飾り図柄表示エリア５Ｒ−２の英数字が飾り図柄表示エリア５Ｒ−１へ移動するとともに、飾り図柄表示エリア５Ｒ−２に新たなブランク図柄が表示される変化態様である。図１８は、ブランク図柄の変化態様を示している。例えば、図１８（Ａ）に示すように、ブランク図柄変化前停止パターンＴＰ２０２の場合、中段の有効ライン上において、左図柄として「２」の英数字が仮停止表示され、中図柄として「２」の英数字が仮停止表示され、右図柄として「３」の英数字が仮停止表示される。その後、飾り図柄表示エリア５Ｒ−３のブランク図柄が擬似連チャンス目を構成する「２」の英数字へ変化し、かつ、飾り図柄表示エリア５Ｒ−２の「３」の英数字が飾り図柄表示エリア５Ｒ−１へ移動するとともに、飾り図柄表示エリア５Ｒ−２に新たなブランク図柄が表示される。画像表示装置５の表示領域には、擬似連チャンス目として擬似連チャンス目停止パターンＴＰ１０２が仮停止表示されることになる。
【０１７９】
ブランク図柄の変化態様Ｂは、一例として、飾り図柄表示エリア５Ｒ−１のブランク図柄が擬似連チャンス目を構成する英数字へ変化し、かつ、飾り図柄表示エリア５Ｒ−２の英数字が飾り図柄表示エリア５Ｒ−３へ移動するとともに、飾り図柄表示エリア５Ｒ−２に新たなブランク図柄が表示される変化態様である。例えば、図１８（Ｂ）に示すように、ブランク図柄変化前停止パターンＴＰ２１３の場合、中段の有効ライン上において、左図柄として「３」の英数字が仮停止表示され、中図柄として「３」の英数字が仮停止表示され、右図柄として「２」の英数字が仮停止表示される。その後、飾り図柄表示エリア５Ｒ−１のブランク図柄が擬似連チャンス目を構成する「３」の英数字へ変化し、かつ、飾り図柄表示エリア５Ｒ−２の「２」の英数字が飾り図柄表示エリア５Ｒ−１へ移動するとともに、飾り図柄表示エリア５Ｒ−２に新たなブランク図柄が表示される。画像表示装置５の表示領域には、擬似連チャンス目として擬似連チャンス目停止パターンＴＰ１１３が仮停止表示されることになる。
【０１８０】
なお、変化態様Ａ又は変化態様Ｂにおいて、飾り図柄表示エリア５Ｒ−２に新たなブランク図柄が表示し直されなくてもよい。例えば、変化態様Ａは、飾り図柄表示エリア５Ｒ−３のブランク図柄が擬似連チャンス目を構成する英数字へ変化し、かつ、飾り図柄表示エリア５Ｒ−２の英数字が飾り図柄表示エリア５Ｒ−１へ移動する変化態様であってもよい。変化態様Ｂは、飾り図柄表示エリア５Ｒ−１のブランク図柄が擬似連チャンス目を構成する英数字へ変化し、かつ、飾り図柄表示エリア５Ｒ−２の英数字が飾り図柄表示エリア５Ｒ−３へ移動する変化態様であってもよい。また、変化態様Ａ又は変化態様Ｂにおいて、飾り図柄表示エリア５Ｒ−２に、例えば「ＮＥＸＴ」といった図柄が表示されてもよい。
【０１８１】
図１２に示すステップＳ５０２にて擬似連なしと判定された場合や（ステップＳ５０２；Ｎｏ）、ステップＳ５０５にてブランク図柄変化演出の実行なしと判定された場合（ステップＳ５０５；Ｎｏ）、演出制御用ＣＰＵ１２０は、擬似連決定処理を終了する。
【０１８２】
図１１に示すステップＳ４２６の処理を実行した後には、演出制御用ＣＰＵ１２０は、擬似連の可変表示演出以外の予告演出などを決定する（ステップＳ４２７）。ステップＳ４２７の処理に続き、演出制御パターンを予め用意された複数パターンのいずれかに決定する（ステップＳ４２８）。例えば、演出制御用ＣＰＵ１２０は、変動パターン指定コマンドで示された変動パターン、及び、ステップＳ４２６の処理で決定した内容などに対応して、複数用意された特図変動時演出制御パターンのいずれかを選択し、使用パターンとしてセットする。
【０１８３】
ステップＳ４２８の処理を実行した後には、例えば変動パターン指定コマンドにより指定された変動パターンに対応して、ＲＡＭ１２２の所定領域（演出制御タイマ設定部など）に設けられた演出制御プロセスタイマの初期値を設定する（ステップＳ４２９）。そして、画像表示装置５における飾り図柄などの変動を開始させるための設定を行う（ステップＳ４３０）。このときには、例えばステップＳ４２８にて使用パターンとして決定された演出制御パターンに含まれる表示制御データが指定する表示制御指令を表示制御部１２３のＶＤＰ等に対して伝送させることなどにより、画像表示装置５の表示画面に設けられた「左」、「中」、「右」の各飾り図柄表示エリア５Ｌ、５Ｃ、５Ｒにて飾り図柄の変動を開始させればよい。
【０１８４】
ステップＳ４３０の処理に続き、飾り図柄の可変表示が開始されることに対応して、始動入賞記憶表示エリア５Ｈにおける保留記憶表示を更新するための設定を行う（ステップＳ４３１）。例えば、始動入賞記憶表示エリア５Ｈにおいて保留番号が「１」に対応した表示部位を消去するとともに、全体の表示部位を１つずつ左方向に移動させればよい。その後、演出プロセスフラグの値を可変表示中演出処理に対応した値である“２”に更新してから（ステップＳ４３２）、可変表示開始設定処理を終了する。
【０１８５】
図１９は、図１０のステップＳ１７２にて実行される可変表示中演出処理の一例を示すフローチャートである。図１９に示す可変表示中演出処理において、演出制御用ＣＰＵ１２０は、まず、例えば演出制御プロセスタイマ値などに基づいて、変動パターンに対応した可変表示時間が経過したか否かを判定する（ステップＳ４５１）。一例として、ステップＳ４５１の処理では、演出制御プロセスタイマ値を更新（例えば１減算）し、更新後の演出制御プロセスタイマ値に対応して所定の演出制御パターン（例えば特図変動時演出制御パターン）から終了コードが読み出されたときなどに、可変表示時間が経過したと判定すればよい。
【０１８６】
ステップ４５１にて可変表示時間が経過していない場合には（ステップＳ４５１；Ｎｏ）、擬似連ありか否かを判定する（ステップＳ４５２）。一例として、演出制御用ＣＰＵ１２０は、擬似連の可変表示演出の演出制御パターンが使用パターンにセットされているか否かに応じて、擬似連の有無を判定すればよい。ステップＳ４５２にて擬似連ありと判定された場合（ステップＳ４５２；Ｙｅｓ）、演出制御用ＣＰＵ１２０は、擬似連の可変表示演出を実行するための擬似連動作制御処理を実行する（ステップＳ４５３）。
【０１８７】
図２０は、図１９のステップＳ４５３にて実行される擬似連動作制御処理の一例を示すフローチャートである。図２０に示す擬似連動作制御処理において、演出制御用ＣＰＵ１２０は、まず、ブランク図柄変化演出実行期間であるか否かを判定する（ステップＳ６０１）。ブランク図柄変化演出実行期間は、例えばステップＳ５０４にてブランク図柄変化演出が実行ありに決定されたことに基づいて使用パターンに決定された演出制御パターンにおいて、予め定められていればよい。ステップＳ６０１にてブランク図柄変化演出実行期間であると判定された場合（ステップＳ６０１；Ｙｅｓ）、演出制御用ＣＰＵ１２０は、ステップＳ５０６にて決定されたブランク図柄変化前停止パターンの飾り図柄を、画像表示装置５における「左」、「中」、「右」の各飾り図柄表示エリア５Ｌ、５Ｃ、５Ｒにて仮停止表示する（ステップＳ６０２）。その後、演出制御用ＣＰＵ１２０は、ステップＳ５０６にて決定されたブランク図柄の変化態様で、ブランク図柄を英数字に変化させる（ステップＳ６０３）。これにより、「左」、「中」、「右」の各飾り図柄表示エリア５Ｌ、５Ｃ、５Ｒにて擬似連チャンス目停止パターンの飾り図柄が仮停止表示された状態となる。
【０１８８】
ステップＳ６０１にてブランク図柄変化演出実行期間でないと判定された場合（ステップＳ６０１；Ｎｏ）、演出制御用ＣＰＵ１２０は、擬似連チャンス目仮停止表示期間であるか否かを判定する（ステップＳ６０４）。擬似連チャンス目仮停止表示期間は、例えば変動パターンに応じて使用パターンに決定された演出制御パターンにおいて、予め定められていればよい。ステップＳ６０４にて擬似連チャンス目仮停止表示期間であると判定された場合（ステップＳ６０４；Ｙｅｓ）、演出制御用ＣＰＵ１２０は、ステップＳ５０３にて決定された擬似連チャンス目停止パターンの飾り図柄を、画像表示装置５における「左」、「中」、「右」の各飾り図柄表示エリア５Ｌ、５Ｃ、５Ｒにて仮停止表示する（ステップＳ６０５）。なお、ステップＳ６０５では、演出制御用ＣＰＵ１２０は、ブランク図柄変化演出を実行しないので、飾り図柄の可変表示中に擬似連チャンス目停止パターンの飾り図柄を仮停止表示する。
【０１８９】
ステップＳ６０４にて擬似連チャンス目仮停止表示期間でないと判定された場合や（ステップＳ６０４；Ｎｏ）、ステップＳ６０３、ステップＳ６０５の処理を実行した後、演出制御用ＣＰＵ１２０は、再可変表示実行期間であるか否かを判定する（ステップＳ６０６）。再可変表示実行期間は、例えば変動パターンに応じて使用パターンに決定された演出制御パターンにおいて、予め定められていればよい。ステップＳ６０６にて再可変表示実行期間であると判定された場合（ステップＳ６０６；Ｙｅｓ）、演出制御用ＣＰＵ１２０は、仮停止表示された飾り図柄の再可変表示を実行する（ステップＳ６０７）。
【０１９０】
ステップＳ６０６にて再可変表示実行期間でないと判定された場合や（ステップＳ６０６；Ｎｏ）、ステップＳ６０７の処理を実行した後、演出制御用ＣＰＵ１２０は、擬似連動作制御処理を終了する。
【０１９１】
次に、飾り図柄の仮停止表示やブランク図柄の変化などのタイミングについて図２１を参照して説明する。
【０１９２】
図２１に示す例では、可変表示開始後のタイミングＴ１で、ブランク図柄変化前停止パターンの飾り図柄が仮停止表示されるとともに、ブランク図柄の変化が開始する。そして、タイミングＴ２で、ブランク図柄の変化が終了するとともに、擬似連チャンス目停止パターンの飾り図柄が仮停止表示される。その後、飾り図柄の再可変表示が開始される。なお、再可変表示が２回行われる変動パターンの場合には、上記動作があと１回行われ、再可変表示が３回行われる変動パターンの場合には、上記動作があと２回行われる。そして、タイミングＴ３で、最終停止図柄が停止表示される。
【０１９３】
次に、ブランク図柄変化演出が実行されるときの主な演出画面について図２２を参照して説明する。
【０１９４】
図２２（Ａ）に示すように、飾り図柄表示エリア５Ｌ、５Ｃ、５Ｒにてハズレ組合せの飾り図柄が停止表示されている状態から、第１開始条件または第２開始条件が成立すると、図２２（Ｂ）に示すように飾り図柄表示エリア５Ｌ、５Ｃ、５Ｒにて飾り図柄の可変表示が開始される。そして、所定時間経過すると、図２２（Ｃ）に示すように中段の有効ライン上において、飾り図柄表示エリア５Ｌ−２に左図柄として「２」の英数字が仮停止表示され、飾り図柄表示エリア５Ｒ−２に右図柄として「３」の英数字が仮停止表示された後、飾り図柄表示エリア５Ｃ−２に中図柄として「２」の英数字が仮停止表示される。即ち、「左」、「中」、「右」の各飾り図柄表示エリア５Ｌ、５Ｃ、５Ｒにてブランク図柄変化前停止パターンＴＰ２０２の飾り図柄が仮停止表示される。次に、図２２（Ｄ）に示すように飾り図柄表示エリア５Ｒ−３に仮停止表示されたブランク図柄が点灯する。そして、図２２（Ｅ）に示すように飾り図柄表示エリア５Ｒ−３のブランク図柄が「２」の英数字へ変化し、かつ、飾り図柄表示エリア５Ｒ−２の「３」の英数字が飾り図柄表示エリア５Ｒ−１へ移動するとともに、飾り図柄表示エリア５Ｒ−２に新たなブランク図柄が表示される。これにより図２２（Ｆ）に示すように、「左」、「中」、「右」の各飾り図柄表示エリア５Ｌ、５Ｃ、５Ｒにて擬似連チャンス目停止パターンＴＰ１０２の飾り図柄が仮停止表示された状態となる。その後、図２２（Ｇ）に示すように飾り図柄表示エリア５Ｌ、５Ｃ、５Ｒにて飾り図柄の再可変表示が開始される。
【０１９５】
以上説明したように、上記実施の形態に係るパチンコ遊技機１によれば、例えばステップＳ６０２にてブランク図柄変化前停止パターンの飾り図柄を、画像表示装置５における「左」、「中」、「右」の各飾り図柄表示エリア５Ｌ、５Ｃ、５Ｒにて仮停止表示し、ステップＳ６０３にてブランク図柄を英数字に変化させることにより、擬似連チャンス目停止パターンの飾り図柄を仮停止表示する。このようにブランク図柄が英数字へ変化して擬似連チャンス目となる飾り図柄が仮停止表示されるので、遊技者に意外性を与えることができる。
【０１９６】
上記実施の形態に係るパチンコ遊技機１によれば、例えば図１７に示すように複数の擬似連チャンス目停止パターンが設定されており、擬似連チャンス目の種類が「チャンス目Ａ」である擬似連チャンス目停止パターンＴ１０２の飾り図柄を仮停止表示する場合、変化態様Ａでブランク図柄が英数字へ変化し、擬似連チャンス目の種類が「チャンス目Ｂ」である擬似連チャンス目停止パターンＴ１１３の飾り図柄を仮停止表示する場合、変化態様Ｂでブランク図柄が英数字へ変化する。このようにブランク図柄が英数字へ変化する変化態様が異なるので、遊技の興趣を向上させることができる。
【０１９７】
上記実施の形態に係るパチンコ遊技機１によれば、例えば図１５に示すように可変表示結果が「大当り」である場合、可変表示結果が「ハズレ」である場合と比べて高い割合で、ブランク図柄変化演出を実行する「実行あり」に決定される。ブランク図柄変化演出が実行される場合には、擬似連チャンス目とは異なる組合せの飾り図柄として、例えば図１７に示すブランク図柄変化前停止パターンの飾り図柄が一旦停止表示される。これにより、擬似連チャンス目とは異なる組合せの飾り図柄が停止表示された場合に、遊技者に期待感を与えることができる。
【０１９８】
なお、この発明は、上記実施の形態に限定されず、様々な変形及び応用が可能である。例えばパチンコ遊技機１は、上記実施の形態で示した全ての技術的特徴を備えるものでなくてもよく、従来技術における少なくとも１つの課題を解決できるように、上記実施の形態で説明した一部の構成を備えたものであってもよい。
【０１９９】
上記実施の形態においては、例えば図３に示すように、ブランク図柄を、「・」といった一種類の表示態様で構成した。しかし、ブランク図柄を、複数種類の表示態様で構成してもよい。
【０２００】
図２３は、変形例におけるブランク図柄変化前停止パターンの一例を示す図である。図２３に示すように、ブランク図柄には、「・」の表示態様で構成されたもの（以下、「・」のブランク図柄という。）と、「★」（星印）の表示態様で構成されたもの（以下、「★」のブランク図柄という。）とがある。「・」のブランク図柄は、英数字へ変化不可能なことを示しており、「★」のブランク図柄は、英数字へ変化可能なことを示している。図２３（Ａ）に示すように、ブランク図柄変化前停止パターンＴＰ２０１〜ＴＰ２０８は、中段の有効ライン上において、左図柄と中図柄とが、同じ英数字（例えば、「２」）であり、右図柄が、左図柄の英数字に１加算した英数字（例えば、「３」）であり、さらに、下段の右図柄が、「★」のブランク図柄である停止パターンとなっている。また、図２３（Ｂ）に示すように、ブランク図柄変化前停止パターンＴＰ２１１〜ＴＰ２１８は、中段の有効ライン上において、左図柄と中図柄とが、同じ英数字（例えば、「３」）であり、右図柄が、左図柄の英数字に１減算した英数字（例えば、「２」）であり、さらに、上段の右図柄が、「★」のブランク図柄である停止パターンとなっている。このように、ブランク図柄変化前停止パターンにおいて英数字へ変化するブランク図柄の表示態様だけ「★」としてもよい。
【０２０１】
この場合には、非特定表示結果となる確定飾り図柄を導出表示するときに、確定飾り図柄に「★」のブランク図柄を含めてもよい。例えば、ステップＳ４２３にて非リーチ組合せを構成する最終停止図柄となる確定飾り図柄の組合せを決定するときや、ステップＳ４２４にてリーチハズレ組合せを構成する最終停止図柄となる確定飾り図柄の組合せを決定するときに、確定飾り図柄に「★」のブランク図柄を含めるか否かを所定割合で決定し、「★」のブランク図柄を含めると決定した場合に、「★」のブランク図柄を含む確定飾り図柄の組合せを決定すればよい。なお、「★」のブランク図柄を含む確定飾り図柄が導出表示されても、「★」のブランク図柄が英数字へ変化することはない。
【０２０２】
従って、「★」のブランク図柄を含むブランク図柄変化前停止パターンの飾り図柄が仮停止表示された場合には、「★」のブランク図柄は英数字へ変化するが、最終的に「★」のブランク図柄を含む確定飾り図柄が停止表示された場合には、「★」のブランク図柄は英数字へ変化しない。
【０２０３】
図２４は、変形例におけるブランク図柄が変化する場合の演出画面の一例を示す図である。図２４（Ａ）に示すように、飾り図柄表示エリア５Ｌ、５Ｃ、５Ｒにてハズレ組合せの飾り図柄が停止表示されている状態から、第１開始条件または第２開始条件が成立すると、図２４（Ｂ）に示すように飾り図柄表示エリア５Ｌ、５Ｃ、５Ｒにて飾り図柄の可変表示が開始される。そして、所定時間経過すると、図２４（Ｃ）に示すように中段の有効ライン上において、飾り図柄表示エリア５Ｌ−２に左図柄として「３」の英数字が仮停止表示され、飾り図柄表示エリア５Ｒ−２に右図柄として「２」の英数字が仮停止表示された後、飾り図柄表示エリア５Ｃ−２に中図柄として「３」の英数字が仮停止表示される。即ち、「左」、「中」、「右」の各飾り図柄表示エリア５Ｌ、５Ｃ、５Ｒにてブランク図柄変化前停止パターンＴＰ２１３の飾り図柄が仮停止表示される。この状態では、飾り図柄表示エリア５Ｒ−１のブランク図柄が、「★」のブランク図柄ＴＢとなっている。なお、飾り図柄表示エリア５Ｒ−１以外のブランク図柄は、「・」のブランク図柄ＳＢとなっている。次に、図２４（Ｄ）に示すように飾り図柄表示エリア５Ｒ−１に仮停止表示された「★」のブランク図柄ＴＢが点灯する。そして、図２４（Ｅ）に示すように「★」のブランク図柄が「３」の英数字へ変化し、かつ、飾り図柄表示エリア５Ｒ−２の「２」の英数字が飾り図柄表示エリア５Ｒ−３へ移動するとともに、飾り図柄表示エリア５Ｒ−２に新たな「・」のブランク図柄ＳＢが表示される。これにより図２４（Ｆ）に示すように、「左」、「中」、「右」の各飾り図柄表示エリア５Ｌ、５Ｃ、５Ｒにて擬似連チャンス目停止パターンＴＰ１１３の飾り図柄が仮停止表示された状態となる。その後、図２４（Ｇ）に示すように飾り図柄表示エリア５Ｌ、５Ｃ、５Ｒにて飾り図柄の再可変表示が開始される。
【０２０４】
上記変形例に係るパチンコ遊技機１によれば、例えばブランク図柄には、「・」のブランク図柄と、「★」のブランク図柄とがあり、「・」のブランク図柄は、英数字へ変化不可能であるが、「★」のブランク図柄は、英数字へ変化可能である。ステップＳ４２３やステップＳ４２４にて確定飾り図柄に「★」のブランク図柄を含めると決定した場合には、「★」のブランク図柄を含む確定飾り図柄を導出表示する。「★」のブランク図柄を含むブランク図柄変化前停止パターンの飾り図柄が仮停止表示された場合には、「★」のブランク図柄は英数字へ変化するが、最終的に「★」のブランク図柄を含む確定飾り図柄が停止表示された場合には、「★」のブランク図柄は英数字へ変化しない。これにより、可変表示結果が「大当り」とならない場合であっても、遊技者に最後まで期待感を与えることができる。なお、例えば、可変表示結果が「大当り」となる場合、「・」のブランク図柄を英数字へ変化させることにより擬似連チャンス目を仮停止表示させたり、「・」のブランク図柄を英数字へ変化させることにより大当り組合せとなる確定飾り図柄を停止表示させたりするといったように、大当り確定時などの稀なケースとして「・」のブランク図柄を英数字へ変化させてもよい。
【０２０５】
なお、上記変形例においては、英数字へ変化可能な表示態様を「★」とし、英数字へ変化不可能な表示態様を「・」とした。しかし、ブランク図柄の表示態様は、「★」や「・」に限られない。例えば、英数字へ変化可能な表示態様を「○」（丸印）や「△」（三角印）、「□」（四角印）などとしてもよい。また、英数字へ変化不可能な表示態様を「×」（バツ印）などとしてもよい。仮停止表示される複数のブランク図柄を、上記複数種類のブランク図柄うちの３種類以上で構成してもよい。また、例えば、「★」、「○」、「△」及び「□」といった複数種類のブランク図柄を同時に仮停止表示させる場合、可変表示結果が「大当り」となる可能性（大当り期待度）に応じて、いずれの種類のブランク図柄を英数字へ変化させるかを、決定してもよい。
【０２０６】
また、図２３に示すように１つのブランク図柄変化前停止パターンに含まれる複数のブランク図柄のうち、１つだけを「★」のブランク図柄とした。しかし、「★」のブランク図柄の数は１つに限定されない。例えば、１つのブランク図柄変化前停止パターンに含まれる複数のブランク図柄のうち、２つ以上を「★」のブランク図柄としてもよい。例えば、第１の方法として、左図柄、中図柄及び右図柄に「★」のブランク図柄を１つずつ含め、３つの「★」のブランク図柄を変化させるようにしてもよい。第２の方法として、左図柄と中図柄、左図柄と右図柄、又は、中図柄と右図柄に「★」のブランク図柄を１つずつ含め、２つの「★」のブランク図柄を変化させるようにしてもよい。第３の方法として、左図柄、中図柄、又は、右図柄に「★」のブランク図柄を２つ含めて、２つの「★」のブランク図柄を変化させるようにしてもよい。また、上記第１〜第３の方法を組み合わせて、複数の「★」のブランク図柄を変化させるようにしてもよい。
【０２０７】
上記実施の形態においては、例えば図１７に示すようにブランク図柄変化前停止パターンを予め用意しておいた。しかし、ブランク図柄変化前停止パターンを予め用意しておかなくてもよい。例えば、後述するようにブランク図柄変化前停止パターンを決定してもよい。図２５（Ａ）は、左図柄停止パターンの一覧を示す図である。図２５（Ａ）に示すように、左図柄停止パターンとして、左図柄停止パターンＬＳＰ１〜ＬＳＰ１６が設けられている。図２５（Ｂ）は、中図柄停止パターンの一覧を示す図である。図２５（Ｂ）に示すように、中図柄停止パターンとして、中図柄停止パターンＣＳＰ１〜ＣＳＰ１６が設けられている。図２５（Ｃ）は、右図柄停止パターンの一覧を示す図である。図２５（Ｃ）に示すように、右図柄停止パターンとして、右図柄停止パターンＲＳＰ１〜ＲＳＰ１６が設けられている。なお、各図柄停止パターンに付される番号は、上段に停止する図柄の図柄番号（図３）と同一となっている。
【０２０８】
例えば、ステップＳ５０６において、図２６に示すようにブランク図柄変化前停止パターンを決定すればよい。例えば、擬似連チャンス目停止パターン（ステップＳ５０３の決定結果）がＴＰ１０１又はＴＰ１１１の場合、左図柄停止パターンとしてＬＳＰ１６に決定し、中図柄停止パターンとしてＣＳＰ１６に決定し、右図柄停止パターンとして、禁止される右図柄停止パターンＲＳＰ１、３、５・・・１３、１５及びＲＳＰ１４以外の右図柄停止パターン（ＲＳＰ２、４、６・・・１２、１６）に決定する。また、擬似連チャンス目停止パターンがＴＰ１０２又はＴＰ１１２の場合、ＴＰ１０３又はＴＰ１１３の場合、・・・、ＴＰ１０８又はＴＰ１１８の場合も同様に、図２６に示す図柄停止パターンに決定する。
【０２０９】
上記実施の形態においては、例えば図１４に示すように擬似連チャンス目停止パターンを、中段の左図柄、中段の中図柄、及び、下段（又は上段）の右図柄が同じ英数字となる停止パターンとした。しかし、擬似連チャンス目停止パターンは、上記した停止パターンに限定されない。図２７は、擬似連チャンス目停止パターンの他の例を示している。例えば、図２７（Ａ）に示すように擬似連チャンス目停止パターンを、中段の有効ライン上において、左図柄と中図柄とが、同じ英数字（例えば、「２」）であり、右図柄が、左図柄の英数字に１加算又は１減算した英数字（例えば、「３」又は「１」）である停止パターンとしてもよい。また、図２７（Ｂ）に示すように擬似連チャンス目停止パターンを、中段の有効ライン上において、例えば左図柄が「３」、中図柄が「５」、右図柄が「７」となる停止パターンや、左図柄が「７」、中図柄が「５」、右図柄が「３」となる停止パターンなどのように、それぞれが区別可能な予め定められた組合せの図柄が停止表示する停止パターンであってもよい。
【０２１０】
また、擬似連チャンス目停止パターンは、中段の有効ラインＬ１上において、予め定められた組合せの図柄が停止表示する停止パターンに限られず、上段ラインＬ２、下段ラインＬ３、右下がりラインＬ４、又は、左下がりラインＬ５上において、予め定められた組合せの図柄が停止表示する停止パターンであってもよい。また、擬似連チャンス目停止パターンは、飾り図柄表示エリア５Ｌ−３、飾り図柄表示エリア５Ｃ−１及び飾り図柄表示エリア５Ｒ−３といったように、予め定められた飾り図柄表示エリアに予め定められた組合せの図柄が停止表示する停止パターンであってもよい。
【０２１１】
上記実施の形態においては、例えばステップＳ１１１にて変動パターンを決定することにより、主基板１１の側で擬似連の有無及び擬似連変動の回数を決定した。しかし、ステップＳ１１１では、擬似連の有無及び擬似連変動の回数を決定しなくてもよい。この場合には、主基板１１から伝送された変動パターン指定コマンドを受信した演出制御基板１２の側で、擬似連の有無及び擬似連変動の回数を決定すればよい。
【０２１２】
上記実施の形態においては、例えば図１５に示すようにブランク図柄変化演出実行決定テーブルで、乱数値ＳＲ２と比較される数値（決定値）を、可変表示結果が「大当り」であるか「ハズレ」であるかに応じて、ブランク図柄変化演出を実行する「実行あり」、又は、ブランク図柄変化演出を実行しない「実行なし」に、割り当てた。しかし、乱数値ＳＲ２と比較される数値（決定値）の割り当て方は上記の方法（可変表示結果が「大当り」であるか「ハズレ」であるかに応じた方法）に限定されない。例えば、乱数値ＳＲ２と比較される数値（決定値）を、上記方法に代え、又は、上記方法に加えて、変動パターンに応じて割り当ててもよく、擬似連変動の回数に応じて割り当ててもよい。
【０２１３】
また、例えば図８（Ｂ）に示す変動パターンとして、ブランク図柄を変化させたうえで擬似連変動を行う変動パターンと、ブランク図柄を変化させないで擬似連変動を行う変動パターンと、を予め用意しておいてもよい。
【０２１４】
上記実施の形態においては、例えば図１７に示すようにブランク図柄変化前停止パターンを、左図柄と中図柄とが、同じ英数字で、右図柄が、左図柄の英数字に１加算、又は、１減算した英数字である停止パターンとした。しかし、ブランク図柄変化前停止パターンは、上記した停止パターンに限定されない。例えば、右図柄が、左図柄の英数字に２以上加算、又は、２以上減算した英数字であってもよい。
【０２１５】
上記実施の形態においては、例えば図１６に示すようにブランク図柄変化前停止パターンＴＰ２０１〜ＴＰ２０８に、ブランク図柄の変化態様Ａを設定し、ブランク図柄変化前停止パターンＴＰ２１１〜ＴＰ２１８に、ブランク図柄の変化態様Ｂを設定した。しかし、変化態様の設定の方法は上記方法に限定されない。例えば、ブランク図柄変化前停止パターンＴＰ２０１〜ＴＰ２０８、ＴＰ２１１〜ＴＰ２１８に、異なる変化態様を設定してもよい。また、変化態様は、図１６に示す変化態様Ａ及び変化態様Ｂとは異なる変化態様であってもよい。
【０２１６】
また、例えば、ブランク図柄が英数字へ変化する際にキャラクタが登場してきてブランク図柄を変化させる動作を行わせる演出を実行してもよい。この場合には、例えば、擬似連チャンス目の種類に応じて、又は、擬似連チャンス目停止パターンに応じて、登場するキャラクタやキャラクタの動作などが異なっていてもよい。このようにブランク図柄が英数字へ変化する際の演出態様を異ならせても、遊技の興趣を向上させることができる。
【０２１７】
また、ブランク図柄が英数字へ変化する前に、ブランク図柄が変化するか否かを煽る煽り演出を実行してもよい。この場合には、例えば、煽り演出の演出態様として、複数の演出態様を設定し、いずれの演出態様で煽り演出が実行されるかによって、擬似連チャンス目が仮停止表示される割合を異ならせてもよい。このようにすれば、遊技者を、ブランク図柄が変化するか否かに注目させることができる。
【０２１８】
上記実施の形態においては、擬似連変動は可変表示態様がリーチ態様となる以前に行われるものとして説明したが、この発明はこれに限定されるものではなく、擬似連変動は可変表示態様がリーチ態様となった後に実行されるものであってもよい。この場合には、例えば、可変表示が開始され、リーチ態様となった後に、リーチハズレ組合せの飾り図柄を仮停止表示し、ブランク図柄を変化させることにより擬似連チャンス目を仮停止表示すればよい。
【０２１９】
上記実施の形態においては、「擬似連」の可変表示演出が実行される可変表示において、ブランク図柄変化演出を実行可能に設定した。しかし、ブランク図柄変化演出が実行される可変表示演出は、「擬似連」の可変表示演出が実行される可変表示に限定されない。例えば、「滑り」や「チャンス目停止後滑り」といった可変表示演出が実行される可変表示において、ブランク図柄変化演出を実行可能に設定してもよい。
【０２２０】
上記実施の形態においては、パチンコ遊技機１を、画像表示装置５に中段ラインＬ１と、上段ラインＬ２と、下段ラインＬ３と、右下がりラインＬ４と、左下がりラインＬ５と、の５つの有効ラインが設けられた５ライン機とした。しかし、パチンコ遊技機１は、５ライン機に限定されない。例えば、パチンコ遊技機１を、画像表示装置５に１つの有効ラインが設けられた１ライン機としてもよい。
【０２２１】
上記実施の形態においては、飾り図柄の可変表示時間およびリーチ演出の種類等の可変表示態様を示す変動パターンを演出制御用ＣＰＵ１２０に通知するために、可変表示を開始するときに１つの変動パターン指定コマンドを送信する例を示したが、２つ乃至それ以上のコマンドにより変動パターンを演出制御用ＣＰＵ１２０に通知するようにしてもよい。具体的には、２つのコマンドにより通知する場合、遊技制御用マイクロコンピュータ１００では、１つ目のコマンドとして、「滑り」や「擬似連」といった可変表示演出の有無等、リーチとなる以前（リーチとならない場合には、いわゆる第２停止の前）の可変表示時間や可変表示態様を示すコマンドを送信し、２つ目のコマンドとして、リーチの種類や再抽選演出の有無等、リーチとなった以降（リーチとならない場合には、いわゆる第２停止の後）の可変表示時間や可変表示態様を示すコマンドを送信するようにしてもよい。この場合、演出制御用ＣＰＵ１２０は２つのコマンドから導かれる可変表示時間に基づいて可変表示における演出制御を行うようにすればよい。なお、遊技制御用マイクロコンピュータ１００（具体的には、ＣＰＵ１０３）の方では２つのコマンドのそれぞれにより可変表示時間を通知し、それぞれのタイミングで実行される具体的な可変表示態様については演出制御用ＣＰＵ１２０の方で選択を行うようにしてもよい。２つのコマンドを送る場合、同一のタイマ割込み内で２つのコマンドを送信するようにしてもよいし、１つ目のコマンドを送信した後、所定時間が経過してから（例えば次のタイマ割込みにおいて）２つ目のコマンドを送信するようにしてもよい。また、それぞれのコマンドで示される可変表示態様はこの例に限定されるものではなく、送信する順序についても適宜変更可能である。このように２つ乃至それ以上のコマンドにより変動パターンを通知することで、変動パターン指定コマンドとして予め記憶して用意すべきデータ量を削減することができる。
【０２２２】
本発明は、パチンコ遊技機１に限らずスロットマシンなどにも適用できる。スロットマシンは、例えば複数種類の識別情報となる図柄の可変表示といった所定の遊技を行い、その遊技結果に基づいて所定の遊技価値を付与可能となる任意の遊技機であり、より具体的には、１ゲームに対して所定の賭数（メダル枚数またはクレジット数）を設定することによりゲームが開始可能になるとともに、各々が識別可能な複数種類の識別情報（図柄）を可変表示する可変表示装置（例えば複数のリールなど）の表示結果が導出表示されることにより１ゲームが終了し、その表示結果に応じて入賞（例えばチェリー入賞、スイカ入賞、ベル入賞、リプレイ入賞、ＢＢ入賞、ＲＢ入賞など）が発生可能とされた遊技機である。このようなスロットマシンにおいて、スロットマシンの画像表示装置を含めたハードウェア資源と、所定の処理を行うソフトウェアとが協働することにより、上記実施の形態や変形例で示されたパチンコ遊技機１が有する特徴の全部または一部を備えるように構成されていればよい。
【０２２３】
その他にも、遊技機の装置構成やデータ構成、フローチャートで示した処理、画像表示装置における画像表示動作やスピーカにおける音声出力動作さらには遊技効果ランプや装飾用ＬＥＤにおける点灯動作を含めた各種の演出動作などは、本発明の趣旨を逸脱しない範囲で、任意に変更および修正が可能である。加えて、本発明の遊技機は、入賞の発生に基づいて所定数の遊技媒体を景品として払い出す払出式遊技機に限定されるものではなく、遊技媒体を封入し入賞の発生に基づいて得点を付与する封入式遊技機にも適用することができる。スロットマシンは、遊技用価値としてメダル並びにクレジットを用いて賭数が設定されるものに限定されず、遊技用価値として遊技球を用いて賭数を設定するスロットマシンや、遊技用価値としてクレジットのみを使用して賭数を設定する完全クレジット式のスロットマシンであってもよい。遊技球を遊技媒体として用いる場合は、例えば、メダル１枚分を遊技球５個分に対応させることができ、例えば賭数として３を設定する場合は、１５個の遊技球を用いて賭数を設定するものに相当する。パチンコ遊技機１やスロットマシンは、メダルおよび遊技球等の複数種類の遊技用価値のうちのいずれか一種類のみを用いるものに限定されるものではなく、例えばメダルおよび遊技球等の複数種類の遊技用価値を併用できるものであってもよい。例えばスロットマシンは、メダルおよび遊技球等の複数種類の遊技用価値のいずれを用いても賭数を設定してゲームを行うことが可能であり、かつ入賞の発生によってメダルおよび遊技球等の複数種類の遊技用価値のいずれをも払い出し得るものであってもよい。
【０２２４】
こうしたスロットマシンにおいて実行可能な演出として、上記実施の形態におけるブランク図柄変化演出などが含まれていればよい。
【０２２５】
その他にも、遊技機の装置構成やデータ構成、フローチャートで示した処理、予告演出などの所定演出を実行するための画像表示装置における画像表示動作やスピーカにおける音声出力動作さらには遊技効果ランプや装飾用ＬＥＤにおける点灯動作を含めた各種の演出動作などは、本発明の趣旨を逸脱しない範囲で、任意に変更及び修正が可能である。加えて、本発明の遊技機は、入賞の発生に基づいて所定数の遊技媒体を景品として払い出す払出式遊技機に限定されるものではなく、遊技媒体を封入し入賞の発生に基づいて得点を付与する封入式遊技機にも適用することができる。
【０２２６】
本発明を実現するためのプログラムおよびデータは、例えばパチンコ遊技機１やスロットマシンといった、遊技機に含まれるコンピュータ装置などに対して、着脱自在の記録媒体により配布・提供される形態に限定されるものではなく、予めコンピュータ装置などの有する記憶装置にプリインストールしておくことで配布される形態を採っても構わない。さらに、本発明を実現するためのプログラムおよびデータは、通信処理部を設けておくことにより、通信回線等を介して接続されたネットワーク上の、他の機器からダウンロードすることによって配布する形態を採っても構わない。
【０２２７】
そして、ゲームの実行形態も、着脱自在の記録媒体を装着することにより実行するものだけではなく、通信回線等を介してダウンロードしたプログラムおよびデータを、内部メモリ等に一旦格納することにより実行可能とする形態、通信回線等を介して接続されたネットワーク上における、他の機器側のハードウェア資源を用いて直接実行する形態としてもよい。さらには、他のコンピュータ装置等とネットワークを介してデータの交換を行うことによりゲームを実行するような形態とすることもできる。
【符号の説明】
【０２２８】
１  …  パチンコ遊技機
２  …  遊技盤
３  …  遊技機用枠
４Ａ、４Ｂ  …  特別図柄表示装置
５  …  画像表示装置
５Ｈ  …  始動入賞記憶表示エリア
５Ｌ、５Ｃ、５Ｒ  …  飾り図柄表示エリア
６Ａ  …  普通入賞球装置
６Ｂ  …  普通可変入賞球装置
７  …  特別可変入賞球装置
８Ｌ、８Ｒ  …  スピーカ
９  …  遊技効果ランプ
１１  …  主基板
１２  …  演出制御基板
１３  …  音声制御基板
１４  …  ランプ制御基板
１５  …  中継基板
２０  …  普通図柄表示器
２１  …  ゲートスイッチ
２２Ａ、２２Ｂ  …  始動口スイッチ
２３  …  カウントスイッチ
２５Ａ、２５Ｂ、２５Ｃ  …  保留表示器
４１  …  通過ゲート
８１、８２  …  ソレノイド
１００  …  遊技制御用マイクロコンピュータ
１０１、１２１  …  ＲＯＭ
１０２、１２２  …  ＲＡＭ
１０３  …  ＣＰＵ
１０４、１２４  …  乱数回路
１０５、１２５  …  Ｉ／Ｏ
１１０  …  スイッチ回路
１１１  …  ソレノイド回路
１２０  …  演出制御用ＣＰＵ
１２３  …  表示制御部
ＴＢ、ＳＢ  …  ブランク図柄
【図１】
2015160003.tif 000003
【図２】
2015160003.tif 000004
【図３】
2015160003.tif 000005
【図４】
2015160003.tif 000006
【図５】
2015160003.tif 000007
【図６】
2015160003.tif 000008
【図７】
2015160003.tif 000009
【図８】
2015160003.tif 000010
【図９】
2015160003.tif 000011
【図１０】
2015160003.tif 000012
【図１１】
2015160003.tif 000013
【図１２】
2015160003.tif 000014
【図１３】
2015160003.tif 000015
【図１４】
2015160003.tif 000016
【図１５】
2015160003.tif 000017
【図１６】
2015160003.tif 000018
【図１７】
2015160003.tif 000019
【図１８】
2015160003.tif 000020
【図１９】
2015160003.tif 000021
【図２０】
2015160003.tif 000022
【図２１】
2015160003.tif 000023
【図２２】
2015160003.tif 000024
【図２３】
2015160003.tif 000025
【図２４】
2015160003.tif 000026
【図２５】
2015160003.tif 000027
【図２６】
2015160003.tif 000028
【図２７】
2015160003.tif 000029